(57)【特許請求の範囲】
【請求項１】
仮想識別モジュール提供装置によって実行される、仮想識別モジュールのためのリチャージ方法であって、
ユーザ機器によって送信され、ユーザアカウント情報およびリチャージ情報を搬送する第1のリチャージ要求を受信するステップであって、前記リチャージ情報が、前記ユーザ機器によって決定されるリチャージ推奨説明識別子である、ステップと、
前記ユーザ機器によって決定される前記リチャージ推奨説明識別子に従って、リチャージ推奨説明情報を決定するステップであって、前記リチャージ推奨説明情報が、前記リチャージされるべき仮想識別モジュールの識別情報およびリチャージ量情報を含む、ステップと、
前記リチャージされるべき仮想識別モジュールの前記識別情報に従って、前記リチャージされるべき仮想識別モジュールを決定するステップと、
前記リチャージ量情報に従って、リチャージ量を決定するステップと、
前記リチャージされるべき仮想識別モジュールの操作支援システムへ第2のリチャージ要求を送信するステップであって、前記第2のリチャージ要求が前記リチャージ量および前記ユーザアカウント情報を搬送し、その結果、前記リチャージされるべき仮想識別モジュールの前記操作支援システムが、前記リチャージ量を前記ユーザアカウント情報に相当するユーザアカウントから差し引き、前記リチャージされるべき仮想識別モジュールをリチャージする、ステップと
を含み、ユーザ機器によって送信され、ユーザアカウント情報およびリチャージ情報を搬送する第1のリチャージ要求を受信する前記ステップの前に、前記方法が、
前記リチャージされるべき仮想ユーザ識別モジュールのバランスが、予め設定された量よりも少ない場合、前記リチャージ推奨説明識別子および前記リチャージ推奨説明情報を前記ユーザ機器へ送信するステップであって、その結果、前記ユーザ機器が、前記リチャージ推奨説明識別子および前記リチャージ推奨説明情報に従って、前記リチャージ情報を決定する、ステップを更に含む方法。
【請求項２】
ユーザ機器によって送信され、ユーザアカウント情報およびリチャージ情報を搬送する第1のリチャージ要求を受信する前記ステップの前に、前記方法が、
前記ユーザ機器によって送信される位置情報を受信するステップであって、前記位置情報が、前記ユーザ機器の位置を示すために使用される、ステップと、
前記位置情報に従って、前記リチャージされるべき仮想識別モジュールが、前記ユーザ機器の前記位置で利用可能な仮想識別モジュール、またはそのチャージが最適である仮想識別モジュールであることを決定するステップと、
前記リチャージされるべき仮想識別モジュールの資金が予め設定された量よりも少ない場合、前記リチャージ推奨説明識別子および前記リチャージ推奨説明情報を前記ユーザ機器へ送信するステップであって、その結果、前記ユーザ機器が、前記リチャージ推奨説明識別子および前記リチャージ推奨説明情報に従って、前記リチャージ情報を決定する、ステップと
を更に含む、請求項1に記載の方法。
【請求項３】
ユーザ機器によって送信され、ユーザアカウント情報およびリチャージ情報を搬送する第1のリチャージ要求を受信する前記ステップの前に、前記方法が、
前記ユーザアカウントに相当する第1の仮想識別モジュールが、予め設定された時間内で使用されておらず、前記ユーザアカウントに相当する第2の仮想識別モジュールのバランスが、予め設定された量よりも少ないことが検出される場合、前記リチャージ推奨説明識別子および前記リチャージ推奨説明情報を前記ユーザ機器へ送信するステップであって、その結果、前記ユーザ機器が、前記リチャージ推奨説明識別子および前記リチャージ推奨説明情報に従って、前記リチャージ情報を決定する、ステップであって、前記第2の仮想識別モジュールが、前記リチャージされるべき仮想識別モジュールであり、前記リチャージ推奨説明情報が、前記第1の仮想識別モジュールの識別子を含む、ステップを更に含み、
前記リチャージされるべき仮想識別モジュールの操作支援システムに第2のリチャージ要求を送信する前記ステップの前に、前記方法が、
前記第1の仮想識別モジュールの操作支援システムへ資金転送要求を送信するステップであって、前記資金転送要求が、前記ユーザアカウント情報および転送量を搬送し、前記転送量が、前記リチャージ量に等しく、その結果、前記第1の仮想識別モジュールの前記操作支援システムが、前記転送量を前記ユーザアカウント情報に相当する前記ユーザアカウントへ転送する、ステップを更に含む、請求項1に記載の方法。
【請求項４】
前記リチャージ推奨説明識別子および前記リチャージ推奨説明情報を前記ユーザ機器へ送信する前記ステップの後に、前記方法が、
前記リチャージ推奨説明識別子と前記リチャージ推奨説明情報との間の関係を保存するステップを更に含み、
前記ユーザ機器によって決定された前記リチャージ推奨説明識別子に従って、リチャージ推奨説明情報を決定する前記ステップが、
前記ユーザ機器によって決定された前記リチャージ推奨説明識別子に従って、前記リチャージ推奨説明情報を決定するステップを含む、請求項1から3のいずれか一項に記載の方法。
【請求項５】
前記リチャージ情報が、前記リチャージされるべき仮想識別モジュールの識別情報およびリチャージ量情報を含み、
前記リチャージ情報に従って、リチャージされるべき仮想識別モジュールおよびリチャージ量を決定する前記ステップが、
前記リチャージされるべき仮想識別モジュールの前記識別情報に従って、前記リチャージされるべき仮想識別モジュールを決定するステップと、
前記リチャージ量情報に従って、前記リチャージ量を決定するステップと
を含む、請求項1に記載の方法。
【請求項６】
第2のリチャージ要求を前記リチャージされるべき仮想識別モジュールの操作支援システムへ送信する前記ステップの後に、前記方法が、
リチャージが成功する後に、前記リチャージされるべき仮想識別モジュールの前記操作支援システムによって返信される応答メッセージを受信するステップ、および前記応答メッセージに従って、リチャージ後、前記ユーザアカウント情報に相当する前記ユーザアカウントのバランスおよび前記操作支援システムの中の前記リチャージされるべき仮想識別モジュールのリチャージされたアカウントバランスを記録するステップと、
前記ユーザ機器へリチャージ結果を送信するステップであって、前記リチャージ結果が、前記リチャージされた仮想識別モジュールの識別子およびバランスを含む、ステップと
を更に含む、請求項1から5のいずれか一項に記載の方法。
【請求項７】
ユーザ機器によって実行される、仮想識別モジュールのためのリチャージ方法であって、前記方法が、
リチャージ情報を決定するステップであって、前記リチャージ情報が、リチャージされるべき仮想識別モジュールおよびリチャージ量を決定するために使用され、前記リチャージ情報が、ユーザ機器によって決定されるリチャージ推奨説明識別子であり、前記リチャージ推奨説明識別子が、リチャージ推奨説明情報を識別するために使用され、前記リチャージ推奨説明情報が、前記リチャージされるべき仮想識別モジュールの識別子およびリチャージ量情報を含む、ステップと、
仮想識別モジュール提供装置へ、ユーザアカウント情報および前記リチャージ情報を搬送する第1のリチャージ要求を送信するステップであって、その結果、前記仮想識別モジュール提供装置が、前記リチャージされるべき仮想識別モジュールの操作支援システムへ、前記リチャージ量を搬送する第2のリチャージ要求を送信する、ステップと、
前記仮想識別モジュール提供装置によって送信されるリチャージ結果を受信するステップと
を含み、リチャージ情報を決定する前記ステップが、
前記リチャージされるべき仮想ユーザ識別モジュールのバランスが予め設定された量よりも少ない場合、前記仮想識別モジュール提供装置によって送信される前記リチャージ推奨説明識別子および前記リチャージ推奨説明情報を受信するステップと、
前記仮想識別モジュール提供装置によって送信される前記リチャージ推奨説明情報を提示するステップと、
前記仮想識別モジュール提供装置によって送信される前記リチャージ推奨説明情報に従って、ユーザによって作製される選択入力を受信するステップと、
前記リチャージ情報として前記選択入力に相当する、リチャージ推奨説明情報のリチャージ推奨説明識別子を決定するステップと
を含む、方法。
【請求項８】
リチャージ情報を決定する前記ステップの前に、前記方法が、
前記ユーザ機器の地理的位置を検出するステップと、前記ユーザ機器の前記地理的位置が変化する場合、位置情報を前記仮想識別モジュール提供装置へ送信するステップであって、前記位置情報が、前記ユーザ機器の位置を示すために使用され、その結果、前記仮想識別モジュール提供装置が、前記位置情報に従って、前記リチャージされるべき仮想識別モジュールが前記ユーザ機器の位置で利用可能である仮想識別モジュール、またはそのチャージが最適である仮想識別モジュールであることを決定する、ステップを更に含み、
リチャージ情報を決定する前記ステップが、
前記リチャージされるべき仮想識別モジュールの資金が予め設定された量よりも少ない場合、前記仮想識別モジュール提供装置によって送信される前記リチャージ推奨説明識別子および前記リチャージ推奨説明情報を受信するステップと、
前記仮想識別モジュール提供装置によって送信される前記リチャージ推奨説明情報を提示するステップと、
前記仮想識別モジュール提供装置によって送信される前記リチャージ推奨説明情報に従って、ユーザによって作製される選択入力を受信するステップと、
前記リチャージ情報として前記選択入力に相当する、リチャージ推奨説明情報のリチャージ推奨説明識別子を決定するステップと
を含む、請求項7に記載の方法。
【請求項９】
リチャージ情報を決定する前記ステップが、
前記仮想識別モジュール提供装置によって送信される前記リチャージ推奨説明識別子および前記リチャージ推奨説明情報を受信するステップであって、前記リチャージ推奨説明情報が、ユーザアカウントに相当する第1の仮想識別モジュールの識別子および第2の仮想識別モジュールの識別子を含み、前記第1の仮想識別モジュールが予め設定された時間内に使用されておらず、前記リチャージされるべき仮想識別モジュールが、前記ユーザアカウントに相当する前記第2の仮想識別モジュールであり、前記第2の仮想識別モジュールのバランスが、予め設定された量よりも少ない、ステップと、
前記仮想識別モジュール提供装置によって送信される前記リチャージ推奨説明情報を提示するステップと、
前記仮想識別モジュール提供装置によって送信される前記リチャージ推奨説明情報に従って、ユーザによって作製される選択入力を受信するステップと、
前記リチャージ情報として前記選択入力に相当する、リチャージ推奨説明情報のリチャージ推奨説明識別子を決定するステップと
を含む、請求項7に記載の方法。
【請求項１０】
リチャージ情報を決定する前記ステップが、
ユーザによって入力されるリチャージ操作指示を獲得するステップと、前記リチャージ操作指示に従って、前記リチャージ情報を決定するステップとを含み、
前記リチャージ情報が、前記リチャージされるべき仮想識別モジュールの識別情報およびリチャージ量情報を含む、請求項7に記載の方法。
【請求項１１】
ユーザ機器によって送信され、ユーザアカウント情報およびリチャージ情報を搬送する第1のリチャージ要求を受信するように構成される、第1の受信モジュールであって、前記リチャージ情報が、前記ユーザ機器によって決定されるリチャージ推奨説明識別子である、第1の受信モジュールと、
前記ユーザ機器によって決定される前記リチャージ推奨説明識別子に従って、リチャージ推奨説明情報を決定し、前記リチャージされるべき仮想識別モジュールの識別情報に従って、前記リチャージされるべき仮想識別モジュールを決定し、リチャージ量情報に従って、リチャージ量を決定するように構成される、第1の決定モジュールであって、前記リチャージ推奨説明情報が、前記リチャージされるべき仮想識別モジュールの前記識別情報および前記リチャージ量情報を含む、第1の決定モジュールと、
前記リチャージされるべき仮想識別モジュールの操作支援システムへ第2のリチャージ要求を送信するように構成される、第1の送信モジュールであって、前記第2のリチャージ要求が前記リチャージ量および前記ユーザアカウント情報を搬送し、その結果、前記リチャージされるべき仮想識別モジュールの前記操作支援システムが、前記リチャージ量を前記ユーザアカウント情報に相当するユーザアカウントから差し引き、前記リチャージされるべき仮想識別モジュールをリチャージする、第1の送信モジュールと
を備え、ユーザ機器によって送信され、ユーザアカウント情報およびリチャージ情報を搬送する第1のリチャージ要求を受信する前に、前記第1の送信モジュールが、前記リチャージされるべき仮想ユーザ識別モジュールのバランスが、予め設定された量よりも少ない場合、前記リチャージ推奨説明識別子および前記リチャージ推奨説明情報を前記ユーザ機器へ送信するようにさらに構成され、その結果、前記ユーザ機器が、前記リチャージ推奨説明識別子および前記リチャージ推奨説明情報に従って、前記リチャージ情報を決定する、仮想識別モジュール提供装置。
【請求項１２】
リチャージ情報を決定するように構成される決定モジュールであって、前記リチャージ情報が、リチャージされるべき仮想識別モジュールおよびリチャージ量を決定するために使用され、前記リチャージ情報が、ユーザ機器によって決定されるリチャージ推奨説明識別子であり、前記リチャージ推奨説明識別子が、リチャージ推奨説明情報を識別するために使用され、前記リチャージ推奨説明情報が、前記リチャージされるべき仮想識別モジュールの識別子およびリチャージ量情報を含む、決定モジュールと、
仮想識別モジュール提供装置へ、ユーザアカウント情報および前記リチャージ情報を搬送する第1のリチャージ要求を送信するように構成される、第1の送信モジュールであって、その結果、前記仮想識別モジュール提供装置が、前記リチャージされるべき仮想識別モジュールの操作支援システムへ、前記リチャージ量を搬送する第2のリチャージ要求を送信する、第1の送信モジュールと、
前記仮想識別モジュール提供装置によって送信されるリチャージ結果を受信するように構成される、第1の受信モジュールと
を含み、前記決定モジュールが、
前記仮想識別モジュール提供装置によって送信される前記リチャージ推奨説明識別子および前記リチャージ推奨説明情報を受信するように構成される、第3の受信ユニットであって、前記リチャージ推奨説明情報が、ユーザアカウントに相当する第1の仮想識別モジュールの識別子および第2の仮想識別モジュールの識別子を含み、前記第1の仮想識別モジュールが予め設定された時間内に使用されておらず、前記リチャージされるべき仮想識別モジュールが、前記ユーザアカウントに相当する前記第2の仮想識別モジュールであり、前記第2の仮想識別モジュールのバランスが、予め設定された量よりも少ない、第3の受信ユニットと、
前記仮想識別モジュール提供装置によって送信される前記リチャージ推奨説明情報を提示するように構成される、第2の提示ユニットと、
前記仮想識別モジュール提供装置によって送信される前記リチャージ推奨説明情報に従って、ユーザによって作製される選択入力を受信するように構成される、第4の受信ユニットと、
前記リチャージ情報として前記選択入力に相当する、リチャージ推奨説明情報のリチャージ推奨説明識別子を決定するように構成される、第2の処理ユニットと
を含む、ユーザ機器。
【請求項１３】
ユーザ機器によって送信され、ユーザアカウント情報およびリチャージ情報を搬送する第1のリチャージ要求を受信するように構成される、受信機であって、前記リチャージ情報が、前記ユーザ機器によって決定されるリチャージ推奨説明識別子である、受信機と、
前記ユーザ機器によって決定される前記リチャージ推奨説明識別子に従って、リチャージ推奨説明情報を決定し、
前記リチャージされるべき仮想識別モジュールの識別情報に従って、前記リチャージされるべき仮想識別モジュールを決定し、
リチャージ量情報に従って、リチャージ量を決定するように構成される、処理装置であって、前記リチャージ推奨説明情報が、前記リチャージされるべき仮想識別モジュールの前記識別情報および前記リチャージ量情報を含む、処理装置と、
前記リチャージされるべき仮想識別モジュールの操作支援システムへ第2のリチャージ要求を送信するように構成される、送信機であって、前記第2のリチャージ要求が前記リチャージ量および前記ユーザアカウント情報を搬送し、その結果、前記リチャージされるべき仮想識別モジュールの前記操作支援システムが、前記リチャージ量を前記ユーザアカウント情報に相当するユーザアカウントから差し引き、前記リチャージされるべき仮想識別モジュールをリチャージする、送信機と
を含み、
前記送信機は、前記受信機が、前記ユーザ機器によって送信され、前記ユーザアカウント情報および前記リチャージ情報を搬送する前記第1のリチャージ要求を受信する前に、前記ユーザアカウントに相当する第1の仮想識別モジュールが、予め設定された時間内で使用されておらず、前記ユーザアカウントに相当する第2の仮想識別モジュールのバランスが、予め設定された量よりも少ないことが検出される場合、前記リチャージ推奨説明識別子および前記リチャージ推奨説明情報を前記ユーザ機器へ送信するようにさらに構成され、その結果、前記ユーザ機器が、前記リチャージ推奨説明情報および前記リチャージ推奨説明識別子に従って、前記リチャージ情報を決定し、前記第2の仮想識別モジュールが、前記リチャージされるべき仮想識別モジュールであり、前記リチャージ推奨説明情報が、前記第1の仮想識別モジュールの識別子を含み、
前記送信機は、前記リチャージされるべき仮想識別モジュールの前記操作支援システムに前記第2のリチャージ要求を送信する前に、前記第1の仮想識別モジュールの操作支援システムへ資金転送要求を送信するようにさらに構成され、前記資金転送要求が、前記ユーザアカウント情報および転送量を搬送し、前記転送量が、前記リチャージ量に等しく、その結果、前記第1の仮想識別モジュールの前記操作支援システムが、前記転送量を前記ユーザアカウント情報に相当する前記ユーザアカウントへ転送する、仮想識別モジュール提供装置。
【請求項１４】
リチャージ情報を決定するように構成される処理装置であって、前記リチャージ情報が、リチャージされるべき仮想識別モジュールおよびリチャージ量を決定するために使用され、前記リチャージ情報が、ユーザ機器によって決定されるリチャージ推奨説明識別子であり、前記リチャージ推奨説明識別子が、リチャージ推奨説明情報を識別するために使用され、前記リチャージ推奨説明情報が、前記リチャージされるべき仮想識別モジュールの識別子およびリチャージ量情報を含む、処理装置と、
仮想識別モジュール提供装置へ、ユーザアカウント情報および前記リチャージ情報を搬送する第1のリチャージ要求を送信するように構成される送信機であって、その結果、前記仮想識別モジュール提供装置が、前記リチャージされるべき仮想識別モジュールの操作支援システムへ、前記リチャージ量を搬送する第2のリチャージ要求を送信する、送信機と、
前記仮想識別モジュール提供装置によって送信されるリチャージ結果を受信するように構成される、受信機と
を備え、
前記受信機が、前記リチャージされるべき仮想ユーザ識別モジュールのバランスが予め設定された量よりも少ない場合、前記仮想識別モジュール提供装置によって送信される前記リチャージ推奨説明識別子および前記リチャージ推奨説明情報を受信するようにさらに構成され、
前記仮想識別モジュール提供装置によって送信される前記リチャージ推奨説明情報を提示するように構成される、出力装置と、
前記仮想識別モジュール提供装置によって送信される前記リチャージ推奨説明情報に従って、ユーザによって作製される選択入力を受信するように構成される、入力装置とをさらに備え、
前記処理装置が、前記リチャージ情報として前記選択入力に相当する、リチャージ推奨説明情報のリチャージ推奨説明識別子を決定するようにさらに構成される、ユーザ機器。
【発明の詳細な説明】
【技術分野】
【０００１】
本発明の実施形態は移動通信技術に関し、詳細には、仮想識別モジュールのためのリチャージ方法および装置に関する。
【背景技術】
【０００２】
無線通信システムでは、ユーザ機器は、ユーザ識別モジュールを装備する必要があり、ユーザ識別モジュールは、グローバル・システム・フォー・モバイル・コミュニケーション（Global System for Mobile communication、略してGSM（登録商標））基準で加入者識別モジュール（Subscriber Identity Module、略してSIM）と呼ばれ、符号分割多重アクセス（Code Division Multiple Access、略してCDMA）基準でユーザ識別モジュール（User Identity Model、略してUIM）と呼ばれ、および汎用移動通信システム（Universal Mobile Telecommunications System、略してUMTS）基準で汎用加入者識別モジュール（Universal Subscriber Identity Module、略してUSIM）と呼ばれる。現在、前述のユーザ識別モジュールは、物理カードの形態で存在し、ユーザ機器は、カードがユーザ機器の中に挿入される後に初めて使用され得る。
【０００３】
技術の発達と共に、仮想識別モジュール、すなわちデータ形態のユーザ識別モジュールが紹介されてきており、その場合、物理形態のカードが、携帯電話の中に挿入される必要はなく、その代り、データ形態のユーザ識別モジュールの内容がダウンロードされ、携帯電話のセキュア記憶領域の中に記憶されて、物理SIMカードと同じ効果を達成する。加えて、仮想識別モジュールは、携帯電話の製造工程でSIMカードのために指定されるスロットに依存することがなく、複数の仮想識別モジュールが1つの携帯電話の中でより便利に使用され得る。
【０００４】
現在の解決策では、ユーザは、ユーザは、ユーザ機器を使用することによって異なるオペレータの操作支援システムから直接に複数の仮想識別モジュールを獲得し、または1つのオペレータから直接に1つまたは複数の仮想識別モジュールを獲得する。仮想識別モジュールの中の資金が不十分である場合、ユーザは操作支援システムを使用することによって仮想識別モジュールをリチャージするが、それによって退屈なリチャージ方法、融通性の欠如および利便性の低下をもたらす。
【発明の概要】
【０００５】
この点を鑑みて、本発明の実施形態は、仮想識別モジュールのためのリチャージ方法および装置を提供し、その結果、仮想識別モジュールのためのリチャージがより融通性の高いものとなる。
【課題を解決するための手段】
【０００６】
第1の態様によって、本発明は、仮想識別モジュールのためのリチャージ方法であって、
ユーザ機器によって送信され、ユーザアカウント情報およびリチャージ情報を搬送する第1のリチャージ要求を受信するステップと、
リチャージ情報に従って、リチャージされるべき仮想識別モジュールおよびリチャージ量を決定するステップと、
リチャージされるべき仮想識別モジュールの操作支援システムへ第2のリチャージ要求を送信するステップであって、第2のリチャージ要求がリチャージ量およびユーザアカウント情報搬送し、その結果、リチャージされるべき仮想識別モジュールの操作支援システムが、リチャージ量をユーザアカウント情報に相当するアカウントから差し引き、リチャージされるべき仮想識別モジュールをリチャージする、ステップとを含む方法を提供する。
【０００７】
第1の態様に関連して、第1の態様の第1の可能な実施方法では、リチャージ情報が、リチャージされるべき仮想識別モジュールの識別情報およびリチャージ量情報を含み、
リチャージ情報に従ってリチャージされるべき仮想識別モジュールおよびリチャージ量を決定するステップが、
リチャージされるべき仮想識別モジュールの識別情報に従って、リチャージされるべき仮想識別モジュールを決定するステップと、
リチャージ量情報に従って、リチャージ量を決定するステップとを含む。
【０００８】
第1の態様に関連して、第1の態様の第2の可能な実施方法では、リチャージ情報が、ユーザ機器によって決定されるリチャージ推奨説明識別子であり、
リチャージ情報に従って、リチャージされるべき仮想識別モジュールおよびリチャージ量を決定するステップが、
ユーザ機器によって決定されるリチャージ推奨説明識別子に従って、リチャージ推奨説明情報を決定するステップであって、リチャージ推奨説明情報が、リチャージされるべき仮想識別モジュールの識別情報およびリチャージ量情報を含む、ステップと、
リチャージされるべき仮想識別モジュールの識別情報に従って、リチャージされるべき仮想識別モジュールを決定するステップと、
リチャージ量情報に従って、リチャージ量を決定するステップとを含む。
【０００９】
第1の態様の第2の可能な実施方法に関連して、第1の態様の第3の可能な実施方法では、ユーザ機器によって送信され、ユーザアカウント情報およびリチャージ情報を搬送する第1のリチャージ要求を受信するステップの前に、方法が、
ユーザ機器によって送信される位置情報を受信するステップであって、位置情報がユーザ機器の位置を示すために使用される、ステップと、
位置情報に従って、リチャージされるべき仮想識別モジュールがユーザ機器の位置で利用可能である仮想識別モジュール、またはそのチャージが最適である仮想識別モジュールであることを決定するステップと、
リチャージされるべき仮想識別モジュールの資金が不十分である場合、リチャージ推奨説明識別子およびリチャージ推奨説明情報をユーザ機器へ送信するステップであって、その結果、リチャージ推奨説明識別子およびリチャージ推奨説明情報に従って、ユーザ機器がリチャージ情報を決定する、ステップとを含む。
【００１０】
第1の態様の第2の可能な実施方法に関連して、第1の態様の第4の可能な実施方法では、ユーザ機器によって送信され、ユーザアカウント情報およびリチャージ情報を搬送する第1のリチャージ要求を受信するステップの前に、方法が、
ユーザアカウントに相当する第1の仮想識別モジュールが、予め設定された時間内で使用されておらず、ユーザアカウントに相当する第2の仮想識別モジュールが、不十分であることが検出される場合、リチャージ推奨説明識別子およびリチャージ推奨説明情報をユーザ機器へ送信するステップであって、その結果、ユーザ機器が、リチャージ推奨説明識別子およびリチャージ推奨説明情報に従って、リチャージ情報を決定し、第2の仮想識別モジュールが、リチャージされるべき仮想識別モジュールであり、リチャージ推奨説明情報が、第1の仮想識別モジュールの識別子を含む、ステップと、
リチャージされるべき仮想識別モジュールの操作支援システムに第2のリチャージ要求を起動するステップの前に、方法が、
第1の仮想識別モジュールの操作支援システムへ資金転送要求を送信するステップであって、資金転送要求が、ユーザアカウント情報および転送量を搬送し、転送量が、リチャージ量に等しく、その結果、第1の仮想識別モジュールの操作支援システムが、転送量をユーザアカウント情報に相当するアカウントへ転送する、ステップとを更に含む。
【００１１】
第1の態様の第2の可能な実施方法に関連して、第1の態様の第5の可能な実施方法では、ユーザ機器によって送信され、ユーザアカウント情報およびリチャージ情報を搬送する第1のリチャージ要求を受信するステップの前に、方法が、
リチャージされるべき仮想ユーザ識別モジュールが好適なチャージ率を含み、リチャージされるべき仮想ユーザ識別モジュールのバランスが予め設定された量よりも少ない場合、リチャージ推奨説明識別子およびリチャージ推奨説明情報をユーザ機器へ送信するステップであって、その結果、リチャージ推奨説明識別子およびリチャージ推奨説明情報に従って、ユーザ機器がリチャージ情報を決定する、ステップとを更に含む。
【００１２】
第1の態様の第2から第5のいずれか1つの可能な実施方法に関連して、第1の態様の第6の可能な実施方法では、リチャージ推奨説明識別子およびリチャージ推奨説明情報をユーザ機器へ送信するステップの後に、方法が、
リチャージ推奨説明識別子とリチャージ推奨説明情報との間の関係を保存するステップを更に含み、
ユーザ機器によって決定されたリチャージ推奨説明識別子に従って、リチャージ推奨説明情報を決定するステップが、
ユーザ機器によって決定されたリチャージ推奨説明識別子に従って、リチャージ推奨説明情報およびリチャージ推奨説明識別子とリチャージ推奨説明情報との間の関係を決定するステップを含む。
【００１３】
第1の態様の第1から第6のいずれか1つの可能な実施方法に関連して、第1の態様の第7の可能な実施方法では、第2のリチャージ要求をリチャージされるべき仮想識別モジュールの操作支援システムへ送信するステップの後に、方法が、
リチャージが成功する後に、リチャージされるべき仮想識別モジュールの操作支援システムによって返信される応答メッセージを受信するステップ、および応答メッセージに従って、リチャージ後、ユーザアカウント情報に相当するアカウントのバランスおよび操作支援システムの中のリチャージされるべき仮想識別モジュールのリチャージされたアカウントバランスを記録するステップと、
ユーザ機器にリチャージ結果を送信するステップであって、リチャージ結果が、リチャージされた仮想識別モジュールの識別子およびバランスを含む、ステップとを更に含む。
【００１４】
第2の態様に従って、本発明の実施形態は、仮想識別モジュールのためのリチャージ方法を提供し、方法が、
リチャージ情報を決定するステップであって、リチャージ情報が、リチャージされるべき仮想識別モジュールおよびリチャージ量を決定するために使用される、ステップと、
仮想識別モジュール提供装置へ、ユーザアカウント情報およびリチャージ情報を搬送する第1のリチャージ要求を送信するステップであって、その結果、仮想識別モジュール提供装置が、リチャージされるべき仮想識別モジュールの操作支援システムへ、リチャージ量を搬送する第2のリチャージ要求を送信する、ステップと、
仮想識別モジュール提供装置によって送信されるリチャージ結果を受信するステップとを含む。
【００１５】
第2の態様に関連して、第2の態様の第1の可能な実施方法では、リチャージ情報を決定するステップが、
ユーザによって入力されるリチャージ操作指示を獲得するステップと、リチャージ操作指示に従って、リチャージ情報を決定するステップとを含み、
リチャージ情報が、リチャージされるべき仮想識別モジュールの識別情報およびリチャージ量情報を含む。
【００１６】
第2の態様を参照して、第2の態様の第2の可能な実施方法では、リチャージ情報が、ユーザ機器によって決定されるリチャージ推奨説明識別子であり、リチャージ推奨説明識別子が、リチャージ推奨説明情報を識別するために使用され、リチャージ推奨説明情報が、リチャージされるべき仮想識別モジュールの識別子およびリチャージ量情報を含む。
【００１７】
第2の態様の第2の可能な実施方法に関連して、第2の態様の第3の可能な実施方法では、リチャージ情報を決定するステップの前に、方法が、
ユーザ機器の地理的位置を検出するステップと、
ユーザ機器の地理的位置が変化する場合、位置情報を仮想識別モジュール提供装置へ送信するステップであって、位置情報が、ユーザ機器の位置を示すために使用され、その結果、仮想識別モジュール提供装置が、位置情報に従って、リチャージされるべき仮想識別モジュールがユーザ機器の位置で利用可能である仮想識別モジュール、またはそのチャージが最適である仮想識別モジュールであることを決定する、ステップを更に含み、
リチャージ情報を決定するステップが、
リチャージされるべき仮想識別モジュールの資金が不十分である場合、仮想識別モジュール提供装置によって送信されるリチャージ推奨説明識別子およびリチャージ推奨説明情報を受信するステップと、
仮想識別モジュール提供装置によって送信されたリチャージ推奨説明情報を提示するステップと、
仮想識別モジュール提供装置によって送信されたリチャージ推奨説明情報に従って、ユーザによって作製される選択入力を受信するステップと、
リチャージ情報として選択入力に相当する、リチャージ推奨説明情報のリチャージ推奨説明識別子を決定するステップとを含む。
【００１８】
第2の態様の第2の可能な実施方法に関連して、第2の態様の第4の可能な実施方法では、リチャージ情報を決定するステップが、
仮想識別モジュール提供装置によって送信されるリチャージ推奨説明識別子およびリチャージ推奨説明情報を受信するステップであって、リチャージ推奨説明情報が、ユーザアカウントに相当する第1の仮想識別モジュールの識別子および第2の仮想識別モジュールの識別子を含むステップであって、第1の仮想識別モジュールが予め設定された時間内に使用されておらず、リチャージされるべき仮想識別モジュールが、ユーザアカウントに相当する第2の仮想識別モジュールであり、第2の仮想識別モジュールのバランスが、不十分である、ステップと、
仮想識別モジュール提供装置によって送信されるリチャージ推奨説明情報を提示するステップと、
仮想識別モジュール提供装置によって送信されるリチャージ推奨説明情報に従って、ユーザによって作製される選択入力を受信するステップと、
リチャージ情報として選択入力に相当する、リチャージ推奨説明情報のリチャージ推奨説明識別子を決定するステップとを含む。
【００１９】
第2の態様の第2の可能な実施方法を参照して、第2の態様の第5の可能な実施方法では、リチャージ情報を決定するステップが、
リチャージされるべき仮想ユーザ識別モジュールが好適なチャージ率を含み、リチャージされるべき仮想ユーザ識別モジュールのバランスが予め設定された量よりも少ない場合、仮想識別モジュール提供装置によって送信されるリチャージ推奨説明識別子およびリチャージ推奨説明情報を受信するステップと、
仮想識別モジュール提供装置によって送信されるリチャージ推奨説明情報を提示するステップと、
仮想識別モジュール提供装置によって送信されるリチャージ推奨説明情報に従って、ユーザによって作製される選択入力を受信するステップと、
リチャージ情報として選択入力に相当する、リチャージ推奨説明情報のリチャージ推奨説明識別子を決定するステップとを含む。
【００２０】
第3の態様に従って、本発明は、ユーザ機器によって送信され、ユーザアカウント情報およびリチャージ情報を搬送する第1のリチャージ要求を受信するように構成される、第1の受信モジュールと、
リチャージ情報に従って、リチャージされるべき仮想識別モジュールおよびリチャージ量を決定するように構成される、第1の決定モジュールと、
リチャージされるべき仮想識別モジュールの操作支援システムへ第2のリチャージ要求を送信するように構成される、第1の送信モジュールであって、第2のリチャージ要求がリチャージ量およびユーザアカウント情報を搬送し、その結果、リチャージされるべき仮想識別モジュールの操作支援システムが、リチャージ量をユーザアカウント情報に相当するアカウントから差し引き、リチャージされるべき仮想識別モジュールをリチャージする、送信モジュールとを含む、仮想識別モジュール提供装置を提供する。
【００２１】
第3の態様に従って、第3の態様の第1の可能な実施方法では、リチャージ情報が、リチャージされるべき仮想識別モジュールの識別情報およびリチャージ量情報を含み、
第1の決定モジュールが、
リチャージされるべき仮想識別モジュールの識別情報に従って、リチャージされるべき仮想識別モジュールを決定するように構成される、第1のモジュール決定ユニットと、
リチャージ量情報に従って、リチャージ量を決定するように構成される、第1の量決定ユニットとを含む。
【００２２】
第3の態様に従って、第3の態様の第2の可能な実施方法では、リチャージ情報が、ユーザ機器によって決定されるリチャージ推奨説明識別子であり、
第1の決定モジュールが、
ユーザ機器によって決定されるリチャージ推奨説明識別子に従って、リチャージ推奨説明情報を決定するように構成される、情報決定ユニットであって、リチャージ推奨説明情報が、リチャージされるべき仮想識別モジュールの識別情報およびリチャージ量情報を含む、情報決定ユニットと、
リチャージされるべき仮想識別モジュールの識別情報に従って、リチャージされるべき仮想識別モジュールを決定するように構成される、第2のモジュール決定ユニットと、
リチャージ量情報に従って、リチャージ量を決定するように構成される、第2の量決定ユニットとを含む。
【００２３】
第3の態様の第2の可能な実施方法に関連して、第3の態様の第3の可能な実施方法では、装置が、
第1の受信モジュールが、ユーザ機器によって送信され、ユーザアカウント情報およびリチャージ情報を搬送する第1のリチャージ要求を受信する前に、ユーザ機器によって送信される位置情報を受信するように構成される第2の受信モジュールであって、位置情報が、ユーザ機器の位置を示すために使用される、第2の受信モジュールと、
位置情報に従って、リチャージされるべき仮想識別モジュールが、ユーザ機器の位置で利用可能な仮想識別モジュール、またはそのチャージが最適である仮想識別モジュールであることを決定するように構成される、第2の決定モジュールと、
リチャージされるべき仮想識別モジュールの資金が不十分である場合、リチャージ推奨説明識別子およびリチャージ推奨説明情報をユーザ機器へ送信するように構成される第2の送信モジュールであって、その結果、ユーザ機器が、リチャージ推奨説明識別子およびリチャージ推奨説明情報に従って、リチャージ情報を決定する、第2の送信モジュールとを更に含む。
【００２４】
第3の態様の第2の可能な実施方法に関連して、第3の態様の第4の可能な実施方法において、装置が、
ユーザ機器によって送信され、ユーザアカウント情報およびリチャージ情報を搬送する第1のリチャージ要求を受信する前に、ユーザアカウントに相当する第1の仮想識別モジュールが、予め設定された時間内で使用されておらず、ユーザアカウントに相当する第2の仮想識別モジュールのバランスが、不十分であることが検出される場合、リチャージ推奨説明識別子およびリチャージ推奨説明情報をユーザ機器へ送信するように構成される第3の送信モジュールであって、その結果、ユーザ機器が、リチャージ推奨説明情報およびリチャージ推奨説明識別子に従って、リチャージ情報を決定し、第2の仮想識別モジュールが、リチャージされるべき仮想識別モジュールであり、リチャージ推奨説明情報が、第1の仮想識別モジュールの識別子を含む、第3の送信モジュールと、
第1の送信モジュールが、リチャージされるべき仮想識別モジュールの操作支援システムへ第2のリチャージ要求を送信する前に、第1の仮想識別モジュールの操作支援システムへ資金転送要求を送信するように構成される、第4の送信モジュールであって、資金転送要求が、ユーザアカウント情報および転送量を搬送し、転送量が、リチャージ量に等しく、その結果、第1の仮想識別モジュールの操作支援システムが、ユーザアカウント情報に相当するアカウントへ転送量を転送する、第4の送信モジュールとを更に含む。
【００２５】
第3の態様の第2の可能な実施方法に関連して、第3の態様の第5の可能な実施方法では、装置が、
第1の受信モジュールが、ユーザ機器によって送信され、ユーザアカウント情報およびリチャージ情報を搬送する第1のリチャージ要求を受信する前に、リチャージされるべき仮想ユーザ識別モジュールが、好適なチャージ率を含み、リチャージされるべき仮想ユーザ識別モジュールのバランスが、予め設定された量よりも少ない場合、リチャージ推奨説明識別子およびリチャージ推奨説明情報をユーザ機器へ送信するように構成される第5の送信モジュールであって、その結果、ユーザ機器が、リチャージ推奨説明識別子およびリチャージ推奨説明情報に従って、リチャージ情報を決定する、第5の送信モジュールを更に含む。
【００２６】
第3の態様の第2から第5のいずれか1つの可能な実施方法に関連して、第3の態様の第6の可能な実施方法において、装置が、
リチャージ推奨説明識別子およびリチャージ推奨説明情報がユーザ機器へ送信される後に、リチャージ推奨説明識別子とリチャージ推奨説明情報との間の関係を保存するように構成される記憶モジュールを更に含み、
情報決定ユニットが、
ユーザ機器によって決定されるリチャージ推奨説明識別子に従ってリチャージ推奨説明情報、およびリチャージ推奨説明識別子とリチャージ推奨説明情報との間の関係を決定するように特に構成される。
【００２７】
第3の態様の第1から第6のいずれか1つの可能な実施方法に関連して、第3の態様の第7の可能な実施方法では、装置が、第1の送信モジュールが、第2のリチャージ要求をリチャージされるべき仮想識別モジュールの操作支援システムへ送信する後に、リチャージが成功する後に、リチャージされるべき仮想識別モジュールの操作支援システムによって返信される応答メッセージを受信し、かつ応答メッセージに従って、リチャージ後、ユーザアカウント情報に相当するアカウントのバランスおよび操作支援システムの中のリチャージされるべき仮想識別モジュールのリチャージされたアカウントバランスを記録するように構成される第3の受信モジュールと、
ユーザ機器へリチャージ結果を送信するように構成される第6の送信モジュールであって、リチャージ結果が、リチャージされた仮想識別モジュールの識別子およびバランスを含む、第6の送信モジュールとを更に含む。
【００２８】
第4の態様に従って、本発明の実施形態は、
リチャージ情報を決定するように構成される決定モジュールであって、リチャージ情報が、リチャージされるべき仮想識別モジュールおよびリチャージ量を決定するために使用される、決定モジュールと、
仮想識別モジュール提供装置へ、ユーザアカウント情報およびリチャージ情報を搬送する第1のリチャージ要求を送信するように構成される第1の送信モジュールであって、その結果、仮想識別モジュール提供装置が、リチャージされるべき仮想識別モジュールの操作支援システムへ、リチャージ量を搬送する第2のリチャージ要求を送信する、第1の送信モジュールと、
仮想識別モジュール提供装置によって送信されるリチャージ結果を受信するように構成される、第1の受信モジュールとを含む、ユーザ機器を提供する。
【００２９】
第4の態様に関連して、第4の態様の第1の可能な実施方法では、決定モジュールが、
ユーザによって入力されるリチャージ操作指示を獲得し、かつリチャージ操作指示に従って、リチャージ情報を決定するように特に構成される、決定モジュールであって、
リチャージ情報が、リチャージされるべき仮想識別モジュールの識別情報およびリチャージ量情報を含む。
【００３０】
第4の態様を参照して、第4の態様の第2の可能な実施方法では、リチャージ情報が、ユーザ機器によって決定されるリチャージ推奨説明識別子であって、リチャージ推奨説明識別子が、リチャージ推奨説明情報を識別するために使用され、リチャージ推奨説明情報が、リチャージされるべき仮想識別モジュールの識別子およびリチャージ量情報を含む。
【００３１】
第4の態様の第2の可能な実施方法に関連して、第4の態様の第3の可能な実施方法では、決定モジュールがリチャージ情報を決定する前に、第2の送信モジュールが、ユーザ機器の地理的位置を検出し、ユーザ機器の地理的位置が変化する場合、位置情報を仮想識別モジュール提供装置へ送信するように構成され、位置情報が、ユーザ機器の位置を示すために使用され、その結果、仮想識別モジュール提供装置が、位置情報に従って、リチャージされるべき仮想識別モジュールが、ユーザ機器の位置で利用可能である仮想識別モジュール、またはそのチャージが最適である仮想識別モジュールであることを決定し、
決定モジュールが、
リチャージされるべき仮想識別モジュールの資金が不十分である場合、仮想識別モジュール提供装置によって送信されるリチャージ推奨説明識別子およびリチャージ推奨説明情報を受信するように構成される、第1の受信ユニットと、
仮想識別モジュール提供装置によって送信されるリチャージ推奨説明情報を提示するように構成される、第1の提示ユニットと、
仮想識別モジュール提供装置によって送信されるリチャージ推奨説明情報に従って、ユーザによって作製される選択入力を受信するように構成される、第2の受信ユニットと、
リチャージ情報として選択入力に相当する、リチャージ推奨説明情報のリチャージ推奨説明識別子を決定するように構成される、第1の処理ユニットとを含む。
【００３２】
第4の態様の第2の可能な実施方法に関連して、第4の態様の第4の可能な実施方法では、決定モジュールが、
仮想識別モジュール提供装置によって送信されるリチャージ推奨説明識別子およびリチャージ推奨説明情報を受信するように構成される、第3の受信ユニットであって、リチャージ推奨説明情報が、ユーザアカウントに相当する第1の仮想識別モジュールの識別子および第2の仮想識別モジュールの識別子を含み、第1の仮想識別モジュールが予め設定された時間内に使用されておらず、リチャージされるべき仮想識別モジュールが、ユーザアカウントに相当する第2の仮想識別モジュールであり、第2の仮想識別モジュールのバランスが、不十分である、第3の受信ユニットと、
仮想識別モジュール提供装置によって送信されるリチャージ推奨説明情報を提示するように構成される、第2の提示ユニットと、
仮想識別モジュール提供装置によって送信されるリチャージ推奨説明情報に従って、ユーザによって作製される選択入力を受信するように構成される、第4の受信ユニットと、
リチャージ情報として選択入力に相当する、リチャージ推奨説明情報のリチャージ推奨説明識別子を決定するように構成される、第2の処理ユニットとを含む。
【００３３】
第4の態様の第2の可能な実施方法に関連して、第4の態様の第5の可能な実施方法では、決定モジュールが、
リチャージされるべき仮想ユーザ識別モジュールが好適なチャージ率を含み、リチャージされるべき仮想ユーザ識別モジュールのバランスが予め設定された量よりも少ない場合、仮想識別モジュール提供装置によって送信されるリチャージ推奨説明識別子およびリチャージ推奨説明情報を受信するように構成される、第5の受信ユニットと、
仮想識別モジュール提供装置によって送信されるリチャージ推奨説明情報を提示するように構成される、第3の提示ユニットと、
仮想識別モジュール提供装置によって送信されるリチャージ推奨説明情報に従って、ユーザによって作製される選択入力を受信するように構成される、第6の受信ユニットと、
リチャージ情報として選択入力に相当する、リチャージ推奨説明情報のリチャージ推奨説明識別子を決定するように構成される、第3の処理ユニットとを含む。
【００３４】
第5の態様に従って、本発明は、
ユーザ機器によって送信され、ユーザアカウント情報およびリチャージ情報を搬送する第1のリチャージ要求を受信するように構成される、受信機と、
リチャージ情報に従って、リチャージされるべき仮想識別モジュールおよびリチャージ量を決定するように構成される、処理装置と、
リチャージされるべき仮想識別モジュールの操作支援システムへ第2のリチャージ要求を送信するように構成される、送信機であって、第2のリチャージ要求がリチャージ量およびユーザアカウント情報を搬送し、その結果、リチャージされるべき仮想識別モジュールの操作支援システムが、リチャージ量をユーザアカウント情報に相当するアカウントから差し引き、リチャージされるべき仮想識別モジュールをリチャージする、送信機とを含む、仮想識別モジュール提供装置を提供する。
【００３５】
第5の態様に関連して、第5の態様の第1の可能な実施方法では、リチャージ情報が、リチャージされるべき仮想識別モジュールの識別情報およびリチャージ量情報を含み、
処理装置が、
リチャージされるべき仮想識別モジュールの識別情報に従って、リチャージされるべき仮想識別モジュールを決定し、かつ
リチャージ量情報に従って、リチャージ量を決定するように特に構成される。
【００３６】
第5の態様に関連して、第5の態様の第2の可能な実施方法では、リチャージ情報が、ユーザ機器によって決定されるリチャージ推奨説明識別子であり、
処理装置が、
ユーザ機器によって決定されるリチャージ推奨説明識別子に従って、リチャージ推奨説明情報を決定し、リチャージ推奨説明情報が、リチャージされるべき仮想識別モジュールの識別情報およびリチャージ量情報を含み、
リチャージされるべき仮想識別モジュールの識別情報に従って、リチャージされるべき仮想識別モジュールを決定し、かつ
リチャージ量情報に従って、リチャージ量を決定するように特に構成される。
【００３７】
第5の態様の第2の可能な実施方法に関連して、第5の態様の第3の可能な実施方法では、受信機が、ユーザ機器によって送信され、ユーザアカウント情報およびリチャージ情報を搬送する第1のリチャージ要求を受信する前に、ユーザ機器によって送信される位置情報を受信するように更に構成され、位置情報が、ユーザ機器の位置を示すために使用され、
処理装置が、位置情報に従って、リチャージされるべき仮想識別モジュールが、ユーザ機器の位置で利用可能な仮想識別モジュール、またはそのチャージが最適である仮想識別モジュールであることを決定するように更に構成され、
送信機が、リチャージされるべき仮想識別モジュールの資金が不十分である場合、リチャージ推奨説明識別子およびリチャージ推奨説明情報をユーザ機器へ送信するように更に構成され、その結果、ユーザ機器が、リチャージ推奨説明識別子およびリチャージ推奨説明情報に従って、リチャージ情報を決定する。
【００３８】
第5の態様の第2の可能な実施方法に関連して、第5の態様の第4の可能な実施方法では、受信機が、ユーザ機器によって送信され、ユーザアカウント情報およびリチャージ情報を搬送する第1のリチャージ要求を受信する前に、ユーザアカウントに相当する第1の仮想識別モジュールが、予め設定された時間内で使用されておらず、ユーザアカウントに相当する第2の仮想識別モジュールのバランスが、不十分であることが検出される場合、送信機が、リチャージ推奨説明識別子およびリチャージ推奨説明情報をユーザ機器へ送信するように更に構成され、その結果、ユーザ機器が、リチャージ推奨説明情報およびリチャージ推奨説明識別子に従って、リチャージ情報を決定し、第2の仮想識別モジュールが、リチャージされるべき仮想識別モジュールであり、リチャージ推奨説明情報が、第1の仮想識別モジュールの識別子を含み、
送信機が、リチャージされるべき仮想識別モジュールの操作支援システムへ第2のリチャージ要求を送信する前に、第1の仮想識別モジュールの操作支援システムへ資金転送要求を送信するように更に構成され、資金転送要求が、ユーザアカウント情報および転送量を搬送し、転送量が、リチャージ量に等しく、その結果、第1の仮想識別モジュールの操作支援システムが、転送量をユーザアカウント情報に相当するアカウントへ転送する。
【００３９】
第5の態様の第2の可能な実施方法に関連して、第5の態様の第5の可能な実施方法では、受信機が、ユーザ機器によって送信され、ユーザアカウント情報およびリチャージ情報を搬送する第1のリチャージ要求を受信する前に、リチャージされるべき仮想ユーザ識別モジュールが、好適なチャージ率を含み、リチャージされるべき仮想ユーザ識別モジュールのバランスが、予め設定された量よりも少ない場合、送信機が、リチャージ推奨説明識別子およびリチャージ推奨説明情報をユーザ機器へ送信するように更に構成され、その結果、ユーザ機器が、リチャージ推奨説明識別子およびリチャージ推奨説明情報に従って、リチャージ情報を決定する。
【００４０】
第5の態様の第2から第5のいずれか1つの可能な実施方法に関連して、第5の態様の第6の可能な実施方法では、リチャージ推奨説明識別子およびリチャージ推奨説明情報が、ユーザ機器へ送信される後に、処理装置が、リチャージ推奨説明識別子とリチャージ推奨説明情報との間の関係を保存するように更に構成され、
処理装置が、ユーザ機器によって決定されるリチャージ推奨説明識別子に従って、リチャージ推奨説明情報を決定することが、詳細には、処理装置が、ユーザ機器によって決定されるリチャージ推奨説明識別子、およびリチャージ推奨説明識別子とリチャージ推奨説明情報との間の関係に従って、リチャージ推奨説明情報を決定することである。
【００４１】
第5の態様または第5の態様の第1から第6のいずれか1つの可能な実施方法に関連して、第5の態様の第7の可能な実施方法では、送信機が第2のリチャージ要求をリチャージされるべき仮想識別モジュールの操作支援システムへ送信する後に、受信機が、リチャージが成功する後に、リチャージされるべき仮想識別モジュールの操作支援システムによって返信される応答メッセージを受信し、かつ応答メッセージに従って、リチャージ後、ユーザアカウント情報に相当するアカウントのバランスおよび操作支援システムの中のリチャージされるべき仮想識別モジュールのリチャージされたアカウントバランスを記録するように更に構成され、
送信機が、ユーザ機器へリチャージ結果を送信するように更に構成され、リチャージ結果が、リチャージされた仮想識別モジュールの識別子およびバランスを含む。
【００４２】
第6の態様に従って、本発明の実施形態は、
リチャージ情報を決定するように構成される処理装置であって、リチャージ情報が、リチャージされるべき仮想識別モジュールおよびリチャージ量を決定するために使用される、処理装置と、
仮想識別モジュール提供装置へ、ユーザアカウント情報およびリチャージ情報を搬送する第1のリチャージ要求を送信するように構成される送信機であって、その結果、仮想識別モジュール提供装置が、リチャージされるべき仮想識別モジュールの操作支援システムへ、リチャージ量を搬送する第2のリチャージ要求を送信する、送信機と、
リチャージされるべき仮想識別モジュールのためであり、仮想識別モジュール提供装置によって送信されるリチャージ結果を受信するように構成される、受信機とを含む、ユーザ機器を提供する。
【００４３】
第6の態様に関連して、第6の態様の第1の可能な実施方法では、処理装置が、
ユーザによって入力されるリチャージ操作指示を獲得し、かつリチャージ操作指示に従って、リチャージ情報を決定するように特に構成され、
リチャージ情報が、リチャージされるべき仮想識別モジュールの識別情報およびリチャージ量情報を含む。
【００４４】
第6の態様を参照して、第6の態様の第2の可能な実施方法では、リチャージ情報が、ユーザ機器によって決定されるリチャージ推奨説明識別子であって、リチャージ推奨説明識別子が、リチャージ推奨説明情報を識別するために使用され、リチャージ推奨説明情報が、リチャージされるべき仮想識別モジュールの識別子およびリチャージ量情報を含む。
【００４５】
第6の態様の第2の可能な実施方法に関連して、第6の態様の第3の可能な実施方法では、処理装置がリチャージ情報を決定する前に、送信機が、ユーザ機器の地理的位置を検出し、ユーザ機器の地理的位置が変化する場合、位置情報を仮想識別モジュール提供装置へ送信するように更に構成され、位置情報が、ユーザ機器の位置を示すために使用され、その結果、仮想識別モジュール提供装置が、位置情報に従って、リチャージされるべき仮想識別モジュールが、ユーザ機器の位置で利用可能である仮想識別モジュール、またはそのチャージが最適である仮想識別モジュールであることを決定し、
受信機が、リチャージされるべき仮想識別モジュールの資金が不十分である場合、仮想識別モジュール提供装置によって送信されるリチャージ推奨説明識別子およびリチャージ推奨説明情報を受信するように更に構成され、
ユーザ機器が、
仮想識別モジュール提供装置によって送信されるリチャージ推奨説明情報を提示するように構成される、出力装置と、
仮想識別モジュール提供装置によって送信されるリチャージ推奨説明情報に従って、ユーザによって作製される選択入力を受信するように構成される、入力装置とを更に含み、
処理装置が、リチャージ情報として選択情報に相当する、リチャージ推奨説明情報のリチャージ推奨説明識別子を決定するように特に構成される。
【００４６】
第6の態様の第2の可能な実施方法に関連して、第6の態様の第4の可能な実施方法では、受信機が、仮想識別モジュール提供装置によって送信されるリチャージ推奨説明識別子およびリチャージ推奨説明情報を受信するように更に構成され、リチャージ推奨説明情報が、ユーザアカウントに相当する第1の仮想識別モジュールの識別子および第2の仮想識別モジュールの識別子を含み、第1の仮想識別モジュールが予め設定された時間内に使用されておらず、リチャージされるべき仮想識別モジュールが、ユーザアカウントに相当する第2の仮想識別モジュールであり、第2の仮想識別モジュールのバランスが、不十分であり、
ユーザ機器が、
仮想識別モジュール提供装置によって送信されるリチャージ推奨説明情報を提示するように構成される、出力装置と、
仮想識別モジュール提供装置によって送信されるリチャージ推奨説明情報に従って、ユーザによって作製される選択入力を受信するように構成される、入力装置とを更に備え、
処理装置が、リチャージ情報として選択入力に相当する、リチャージ推奨説明情報のリチャージ推奨説明識別子を決定するように更に構成される。
【００４７】
第6の態様の第2の可能な実施方法に関連して、第6の態様の第5の可能な実施方法では、リチャージされるべき仮想ユーザ識別モジュールが好適なチャージ率を含み、リチャージされるべき仮想ユーザ識別モジュールのバランスが予め設定された量よりも少ない場合、受信機が、仮想識別モジュール提供装置によって送信されるリチャージ推奨説明識別子およびリチャージ推奨説明情報を受信するように更に構成され、
ユーザ機器が、
仮想識別モジュール提供装置によって送信されるリチャージ推奨説明情報を提示するように構成される、出力装置と、
仮想識別モジュール提供装置によって送信されるリチャージ推奨説明情報に従って、ユーザによって作製される選択入力を受信するように構成される、入力装置とを更に含み、
処理装置が、リチャージ情報として選択入力に相当する、リチャージ推奨説明情報のリチャージ推奨説明識別子を決定するように更に構成される。
【００４８】
本発明の実施形態が、仮想識別モジュールのためのリチャージ方法および装置を提供する。方法に従って、ユーザ機器によって送信され、ユーザアカウント情報およびリチャージ情報を搬送する第1のリチャージ要求が受信され、リチャージ情報に従って、リチャージされるべき仮想識別モジュールおよびリチャージ量が決定され、リチャージされるべき仮想識別モジュールの操作支援システムへ第2のリチャージ要求が送信され、第2のリチャージ要求が、リチャージ量およびユーザアカウント情報を搬送し、その結果、リチャージされるべき仮想識別モジュールの操作支援システムが、リチャージ量をユーザアカウント情報に相当するアカウントから差し引き、リチャージされるべき仮想識別モジュールをリチャージする。ユーザ機器は、2つの可能な実施方法でリチャージする工程を起動し、その工程は、リチャージ方法を多様化し、リチャージ情報を更に多様化し、したがってリチャージ工程に融通性および利便性をもたらす。
【００４９】
本発明の実施形態における技術的解決策をより明確に説明するために、以下で、これらの実施形態を説明するのに必要な添付の図面について簡単に述べる。明らかに、以下の説明の添付の図面は本発明のいくつかの実施形態を示すにすぎず、当業者はこれら添付の図面から難なく他の図面を更に導出することができる。
【図面の簡単な説明】
【００５０】
【図１】本発明による仮想識別モジュールのためのリチャージシステムの構造の概略図である。
【図２】本発明による仮想識別モジュールのためのリチャージ方法の実施形態1の概略流れ図である。
【図３】本発明による仮想識別モジュールのためのリチャージ方法の実施形態2の概略流れ図である。
【図４Ａ】本発明による仮想識別モジュールのためのリチャージ方法の実施形態3の信号方式流れ図である。
【図４Ｂ】本発明による仮想識別モジュールのためのリチャージ方法の実施形態3の信号方式流れ図である。
【図５Ａ】本発明による仮想識別モジュールのためのリチャージ方法の実施形態4の信号方式流れ図である。
【図５Ｂ】本発明による仮想識別モジュールのためのリチャージ方法の実施形態4の信号方式流れ図である。
【図６Ａ】本発明による仮想識別モジュールのためのリチャージ方法の実施形態5の信号方式流れ図である。
【図６Ｂ】本発明による仮想識別モジュールのためのリチャージ方法の実施形態5の信号方式流れ図である。
【図７】本発明による仮想識別モジュール提供装置の実施形態1の構造の概略図である。
【図８】本発明による仮想識別モジュール提供装置の実施形態2の構造の概略図である。
【図９】本発明による仮想識別モジュール提供装置の実施形態3の構造の概略図である。
【図１０】本発明による仮想識別モジュール提供装置の実施形態4の構造の概略図である。
【図１１】本発明による仮想識別モジュール提供装置の実施形態5の構造の概略図である。
【図１２】本発明による仮想識別モジュール提供装置の実施形態6の構造の概略図である。
【図１３】本発明によるユーザ機器の実施形態1の構造の概略図である。
【図１４】本発明によるユーザ機器の実施形態2の構造の概略図である。
【図１５】本発明によるユーザ機器の実施形態3の構造の概略図である。
【図１６】本発明によるユーザ機器の実施形態4の構造の概略図である。
【図１７】本発明による仮想識別モジュール提供装置の実施形態7の構造の概略図である。
【図１８】本発明によるユーザ機器の実施形態5の構造の概略図である。
【発明を実施するための形態】
【００５１】
本発明の目的、技術的解決策、および利点をより明確にするために、以下で、添付の図面を参照して本発明を詳細に更に 説明する。明らかに、説明される実施形態は、本発明の実施形態の全部ではなく、一部であるにすぎない。本発明の実施形態に基づいて当業者によって難なく得られる他のすべての実施形態は、本発明の保護範囲内に含まれるものとする。
【００５２】
図1は、本発明による仮想識別モジュールのためのリチャージシステムの構造の概略図である。本発明の仮想識別モジュールのためのリチャージ方法は、図1に示す実施形態の中に提供される仮想識別モジュールのためのリチャージシステムを使用することによって実施され得る。図1に示すように、仮想識別モジュールのためのリチャージシステムは、ユーザ機器108、仮想識別モジュール提供装置109および操作支援システム105を含む。
【００５３】
複数の仮想識別モジュール103が、ユーザ機器108上にインストールされ、人間とコンピュータとの間のインタラクション・インターフェース101が、ユーザ機器108上に表示されることができ、人間とコンピュータとの間のインタラクション・インターフェース101が、各仮想識別モジュールのリチャージ推奨説明情報、バランスを含む状態などを表示することができる。
【００５４】
任意選択で、ユーザ機器108は、管理モジュール102および位置検出モジュール107を含む。管理モジュール102は、仮想識別モジュールのデータにアクセスし、仮想識別モジュール提供装置109上のユーザアカウントにリチャージするためにユーザによって使用される。例えば、現金、第三者支払および銀行送金など、複数のリチャージ方法が存在する可能性がある。複数の仮想識別モジュールもまた、アカウント内に、ユーザ機器上に記憶されている資金を使用することによって、仮想識別モジュール提供装置109からダウンロードされ得る。ユーザ機器108の管理モジュール102が始動される後、仮想識別モジュールリストが表示され得る。ユーザ機器108のユーザは、表示された仮想識別モジュールリストに従って、現在使用されるべき仮想識別モジュールを特定することができ、オペレータのサービスが使用される場合、相当する料金が、オペレータによって、使用された仮想識別モジュールから差し引かれる。位置検出モジュール107は、ユーザ機器の現在の地理的位置を検出し、位置情報を仮想識別モジュール提供装置109に送信するように構成されることができ、その結果、仮想識別モジュール提供装置109は、ユーザ機器108に利用可能であるリチャージ推奨説明情報を決定する。管理モジュール102が、受信機、送信機および処理装置を使用することによって管理を実施するモジュールであることができ、位置検出モジュール107が、全地球測位システム（Global Positioning System（GPS））、Galileo測位システム（Galileo Positioning System）、全地球ナビゲーション衛星システム（GLOBAL NAVIGATION SATELLITE SYSTE）、またはBeiDouナビゲーション衛生システム（BeiDou（COMPASS）Navigation Satellite System）を使用することによって測位を実施するモジュールであることができることを当業者なら知ることができる。ハードウェア構造、ならびに管理モジュール102および位置検出モジュール107の操作原則について、本明細書では詳細を説明しない。
【００５５】
仮想識別モジュール提供装置109は、仮想識別モジュールサービスプロバイダによって提供され、チャージ管理提供モジュール104および記憶モジュール106を含むことができる。記憶モジュール106は、ユーザデータ、ユーザと仮想識別モジュールとの間の関係、チャージ率およびバランスなど、データを記憶するように構成される。チャージ管理提供モジュール104は、ユーザ機器のためにユーザアカウント情報を設定することができる。相当するユーザアカウントの料金供給源は、様々な回線を使用して、ユーザ機器によって実施されるリチャージ手段によって獲得されることができるが、これらのチャージとユーザ機器の仮想識別モジュールとの間に関連がまだ確立されていない。チャージ管理提供モジュール104が、受信機、送信機および処理装置を使用することによって管理を実施するモジュールであることができ、記憶モジュール106が、記憶装置を使用することによって記憶を実施するモジュールであることができることを当業者なら知ることができる。ハードウェア構造、ならびにチャージ管理提供モジュール104および記憶モジュール106の操作原則について、本明細書では詳細を説明しない。更に、仮想識別モジュールサービスプロバイダは、複数の通信事業会社から仮想識別モジュールを購入し、次いでユーザのために統合されたサービスを提供することができる。
【００５６】
ユーザアカウント情報は、以下の表1に示すデータ構造であることができる。料金が、表1のアカウントバランスからリチャージするための仮想識別モジュールへ転送される場合、アカウントのバランスが減少し、仮想識別モジュールのバランスが相当する量だけ増加する。ユーザ機器のユーザが、仮想識別モジュールを使用する場合、仮想識別モジュールのバランスが減少する。
【００５７】
【表１】
0006510516.tif 000002
【００５８】
表1に示すユーザアカウント情報が、複数のユーザのユーザアカウント情報であることを当業者なら理解することができる。
【００５９】
チャージ管理提供モジュール104は、ユーザ機器の仮想識別モジュールについての情報を更に設定することができる。表2に示すデータ構造は、ユーザ、ユーザ機器および仮想識別モジュールの関係表である。ユーザ機器が仮想識別モジュールサーバから仮想識別モジュールのダウンロードに成功する後、仮想識別モジュールおよび仮想識別モジュール提供装置は、ユーザ、ユーザ機器および仮想識別モジュールの間のマッピング関係を確立する。
【００６０】
【表２】
0006510516.tif 000003
【００６１】
チャージ管理提供モジュール104は、操作支援システムに相当するオペレータについての地理的位置および情報を更に維持することができ、その結果、地理的位置に従って適切なオペレータを選択し、または言い換えれば、地理的位置に従って、適切な仮想識別モジュールを選択することができる。地理的位置の正確さは、実際の状況に従って調節可能であり、例えば、地理的位置は、州または市に正確であり、あるいは経度および緯度を使用することによって表示される。
【００６２】
【表３】
0006510516.tif 000004
【００６３】
オペレータの操作支援システム105は、通信事業会社が、通信事業会社によって支給される仮想識別モジュールのためなどのリチャージ、バランス検索などを実施するために相当するサービスを提供する。1つの仮想識別モジュール提供装置109は、複数のオペレータの操作支援システム105と連係して動作する。
【００６４】
IF1インターフェースは、ユーザ機器のために仮想識別モジュール管理提供モジュール104によって提供されるチャージ管理インターフェースであり、リチャージおよびバランス検索などの機能を実施するようになる。
【００６５】
IF2インターフェースは、操作支援システム105によって提供されるチャージ管理インターフェースであり、その結果、リチャージおよびバランス検索などの機能を実施するようになる。
【００６６】
以下に、仮想識別モジュールのためのリチャージシステムを使用することによって実施される仮想識別モジュールのためのリチャージ方法を詳細に説明するために、特定の実施形態を使用する。図2は、本発明による仮想識別モジュールのためのリチャージ方法の実施形態1の概略流れ図である。この実施形態は、図1の仮想識別モジュール提供装置によって実施され、仮想識別モジュール提供装置は、ソフトウェアおよび／またはハードウェアによって実施され得る。この実施形態の中で提供される仮想識別モジュールのためのリチャージ方法は、以下を含む。
【００６７】
ステップ201：ユーザ機器によって送信され、ユーザアカウント情報およびリチャージ情報を搬送する第1のリチャージ要求を受信する。
【００６８】
ステップ202：リチャージ情報に従って、リチャージされるべき仮想識別モジュールおよびリチャージ量を決定する。
【００６９】
ステップ203：リチャージされるべき仮想識別モジュールの操作支援システムへ第2のリチャージ要求を送信し、第2のリチャージ要求がリチャージ量およびユーザアカウント情報を搬送し、その結果、リチャージされるべき仮想識別モジュールの操作支援システムが、リチャージ量をユーザアカウント情報に相当するアカウントから差し引き、リチャージされるべき仮想識別モジュールをリチャージする。
【００７０】
ステップ201の中で、特に、ユーザ機器が、使用された仮想識別モジュールがリチャージされる必要があると決定する場合、ユーザ機器は、第1のリチャージ要求を仮想識別モジュール提供装置に送信し、それによって、仮想識別モジュール提供装置が、ユーザ機器によって送信される第1のリチャージ要求を受信し、第1のリチャージ要求が、ユーザアカウント情報およびリチャージ情報を搬送する。
【００７１】
ユーザアカウント情報は、ユーザ機器のために仮想識別モジュール提供装置によって設定され、記憶される情報であり、ユーザ識別子およびユーザ識別子に相当するアカウントなどを特に含むことができる。ユーザ機器を使用することによって仮想識別モジュールをダウンロードする前に、ユーザは、最初にアカウントを仮想識別モジュールに登録し、アカウントをリチャージし、次いでアカウント内の資金を使用して、仮想識別モジュール提供装置を使用することによって、仮想識別モジュールを購入し、ダウンロードすることができる。ユーザは、アカウント内の資金を使用することによって、続いて仮想識別モジュールを更にリチャージすることができる。特定の実施工程では、1つのアカウントが1つの仮想識別モジュールに相当することができ、または複数の仮想識別モジュールに相当することができるが、この実施形態では、特に限定しないことを当業者なら理解することができる。
【００７２】
特に、特定の実施工程では、ユーザ機器が、使用された仮想識別モジュールがリチャージされる必要があることを決定し、ユーザ機器が、2つの可能な実施方法でリチャージ工程を起動する。ユーザ機器が、1つの仮想識別モジュールを決定することができ、または複数の仮想識別モジュールを決定することができるが、この実施形態では、特に限定しないことを当業者なら理解することができる。
【００７３】
1つの方法では、ユーザが、ユーザ機器のためのリチャージ工程をトリガし、ユーザ機器が、ユーザによるトリガに従って、使用された仮想識別モジュールがリチャージされる必要があることを決定し、次いで、仮想識別モジュール提供装置へ、ユーザアカウント情報およびリチャージ情報を搬送する第1のリチャージ要求を送信する。したがって、リチャージ情報は、リチャージされるべき仮想識別モジュールの識別情報およびリチャージ量情報を含む。
【００７４】
他の方法では、仮想識別モジュール提供装置が、最初にリチャージ工程をユーザ機器に起動し、次いで、ユーザ機器が、使用された仮想識別モジュールがリチャージされる必要があることを決定し、次いで、仮想識別モジュール提供装置にリチャージを起動する。したがって、リチャージ情報は、リチャージ推奨説明識別子である。特に、仮想識別モジュール提供装置が、リチャージ推奨説明識別子およびリチャージ推奨説明情報をユーザ機器へ送信し、その結果、リチャージ推奨説明識別子およびリチャージ推奨説明情報に従って、ユーザ機器がリチャージ情報を決定する。リチャージ情報を決定するステップの後、ユーザ機器が、仮想識別モジュール提供装置へ、ユーザアカウント情報およびリチャージ推奨説明識別子を搬送する第1のリチャージ要求を送信し、リチャージ推奨説明識別子が、リチャージ推奨説明情報を識別するために使用される。仮想識別モジュール提供装置が、リチャージ推奨説明識別子に従って、相当するリチャージ推奨説明情報をローカルに発見し、その結果、リチャージ推奨説明情報に従ってリチャージされるべき仮想識別モジュールをリチャージする。
【００７５】
ステップ202では、仮想識別モジュール提供装置が、リチャージ情報に従って、リチャージされるべき仮想識別モジュールおよびリチャージ量を決定する。
【００７６】
特定の実施工程では、ステップ201の中のリチャージ情報の特定の実施方法が異なるので、したがってステップ202では、仮想識別モジュール提供装置が、異なる実施方法の中のリチャージ情報に従って、リチャージされるべき仮想識別モジュールおよびリチャージ量を決定する。
【００７７】
特に、リチャージ情報が、リチャージされるべき仮想識別モジュールの識別情報およびリチャージ量情報を含む場合、仮想識別モジュール提供装置が、リチャージされるべき仮想識別モジュールの識別情報に従って、リチャージされるべき仮想識別モジュールを決定し、かつリチャージ量情報に従って、リチャージ量を決定する。
【００７８】
リチャージ情報が、リチャージ推奨説明識別子である場合、仮想識別モジュール提供装置が、リチャージ推奨説明識別子に従って、リチャージ推奨説明情報を決定し、リチャージ推奨説明情報が、リチャージされるべき仮想識別モジュールの識別情報およびリチャージ量情報を含み、リチャージされるべき仮想識別モジュールの識別情報に従って、リチャージされるべき仮想識別モジュールを決定し、かつリチャージ量情報に従って、リチャージ量を決定する。
【００７９】
ステップ203では、仮想識別モジュール提供装置が、第2のリチャージ要求をリチャージされるべき仮想識別モジュールの操作支援システムへ送信し、第2のリチャージ要求が、リチャージ量およびユーザアカウント情報を搬送する。仮想識別モジュール提供装置によって送信される第2のリチャージ要求を受信するステップの後、リチャージされるべき仮想識別モジュールの操作支援システムが、リチャージ量をユーザアカウント情報に相当するアカウントから差し引き、リチャージされるべき仮想識別モジュールをリチャージする。
【００８０】
任意選択で、リチャージされるべき仮想識別モジュールの操作支援システムが、リチャージされるべき仮想識別モジュールのためにリチャージを完了する後、リチャージされるべき仮想識別モジュールの操作支援システムは、応答メッセージを仮想識別モジュール提供装置へ返信する。仮想識別モジュール提供装置が、リチャージが成功する後に、リチャージされるべき仮想識別モジュールの操作支援システムによって返信される応答メッセージを受信し、応答メッセージに従って、リチャージ後、ユーザアカウント情報に相当するアカウントのバランスおよび操作支援システムの中のリチャージされるべき仮想識別モジュールのリチャージされたアカウントバランスを記録する。仮想識別モジュール提供装置は、ユーザアカウント情報に相当するリチャージされたアカウントのバランスおよび支援システムの中のリチャージされるべき仮想識別モジュールのリチャージされたアカウントバランスを記録することによって、ユーザ機器のためのリチャージ推奨説明情報を生成することができる。更に、仮想識別モジュールは、リチャージ結果をユーザ機器に送信し、リチャージ結果がリチャージされた仮想識別モジュールの識別子およびバランスを含む。
【００８１】
本発明のこの実施形態に従って、ユーザ機器によって送信され、ユーザアカウント情報およびリチャージ情報を搬送する第1のリチャージ要求が受信され、リチャージ情報に従って、リチャージされるべき仮想識別モジュールおよびリチャージ量が決定され、リチャージされるべき仮想識別モジュールの操作支援システムへ第2のリチャージ要求が送信され、第2のリチャージ要求が、リチャージ量およびユーザアカウント情報を搬送し、その結果、リチャージされるべき仮想識別モジュールの操作支援システムが、リチャージ量をユーザアカウント情報に相当するアカウントから差し引き、リチャージされるべき仮想識別モジュールをリチャージする。ユーザ機器は、2つの可能な実施方法でリチャージする工程を起動し、その工程は、リチャージ方法を多様化し、リチャージ情報を更に多様化し、したがってリチャージ工程に融通性および利便性をもたらす。
【００８２】
図3は、本発明による仮想識別モジュールのためのリチャージ方法の実施形態2の概略流れ図である。この実施形態は、図1のユーザ機器によって実施され、ユーザ機器は、ソフトウェアおよび／またはハードウェアによって実施され得る。この実施形態の中で提供される仮想識別モジュールのためのリチャージ方法は、以下を含む。
【００８３】
ステップ301：リチャージ情報を決定し、リチャージ情報が、リチャージされるべき仮想識別モジュールおよびリチャージ量を決定するために使用される。
【００８４】
ステップ302：仮想識別モジュール提供装置へ、ユーザアカウント情報およびリチャージ情報を搬送する第1のリチャージ要求を送信し、その結果、仮想識別モジュール提供装置が、リチャージされるべき仮想識別モジュールの操作支援システムへ、リチャージ量を搬送する第2のリチャージ要求を送信する。
【００８５】
ステップ303：仮想識別モジュール提供装置によって送信されるリチャージ結果を受信する。
【００８６】
この実施形態の特定の応用シナリオのために、図1に示す実施形態および図2に示す実施形態を参照することができるので、この実施形態の中で詳細を再び説明しない。
【００８７】
図2の中に示す実施形態から、リチャージ情報のための2つの可能な実施方法が存在することを知ることができる。したがって、ステップ301では、2つの可能な実施方法の中と同様に、ユーザ機器がリチャージ情報を決定する。
【００８８】
1つの可能な実施方法では、ユーザ機器が、ユーザによって入力されるリチャージ操作指示を獲得し、かつリチャージ操作指示に従って、リチャージ情報を決定し、リチャージ情報が、リチャージされるべき仮想識別モジュールの識別情報およびリチャージ量情報を含む。特定の実施工程では、仮想識別モジュールをリチャージすることを決定する場合、ユーザは、図1の人間とコンピュータとの間のインタラクション・インターフェース101を使用することによって、リチャージ操作指示を入力することができる。
【００８９】
他の可能な実施方法では、ユーザ機器が、仮想識別モジュール提供装置によって送信されるリチャージ推奨説明識別子およびリチャージ推奨説明情報を受信し、ユーザ機器が、仮想識別モジュール提供装置によって送信されるリチャージ推奨説明情報を提示し、仮想識別モジュール提供装置によって送信されるリチャージ推奨説明情報に従って、ユーザによって作製される選択入力を受信し、リチャージ情報として選択入力に相当する、リチャージ推奨説明情報のリチャージ推奨説明識別子を決定する。リチャージ推奨説明識別子が、リチャージ推奨説明情報を識別するために使用され、リチャージ推奨説明情報が、リチャージされるべき仮想識別モジュールおよびリチャージ量情報の識別子を含む。
【００９０】
ステップ302では、ユーザ機器が、仮想識別モジュール提供装置へ、ユーザアカウント情報およびリチャージ情報を搬送する第1のリチャージ要求を送信し、その結果、仮想識別モジュール提供装置が、リチャージされるべき仮想識別モジュールの操作支援システムへ、第2のリチャージ要求を送信する。特定の実施工程のために、図2の実施形態を参照することができるので、この実施形態の中で詳細を再び説明しない。
【００９１】
ステップ303では、ユーザ機器が、仮想識別モジュール提供装置によって送信されるリチャージ結果を受信し、リチャージ結果がリチャージされた仮想識別モジュールの識別子およびバランスを含む。ユーザ機器が、リチャージされる仮想識別モジュールの識別子に従って、リチャージされるべき仮想識別モジュールがリチャージされることを決定し、仮想識別モジュールのバランスを決定する。
【００９２】
本発明のこの実施形態に従って、リチャージ情報が決定され、ユーザアカウント情報およびリチャージ情報を搬送する第1のリチャージ要求が、仮想識別モジュール提供装置へ送信され、その結果、仮想識別モジュール提供装置が、リチャージされるべき仮想識別モジュールの操作支援システムへ第2のリチャージ要求を送信する。ユーザ機器は、リチャージ情報を決定し、2つの可能な実施方法でリチャージする工程を起動し、その工程は、リチャージ方法を多様化し、リチャージ情報を更に多様化し、したがってリチャージ工程に融通性および利便性をもたらす。
【００９３】
図1から図3の中の実施形態に基づいて、リチャージ情報がリチャージ推奨説明識別子である、本発明の特定の実施形態を詳細に説明するために、以下に特定の実施形態を使用する。
【００９４】
図4Aおよび図4Bは、本発明による仮想識別モジュールのためのリチャージ方法の実施形態3の信号方式流れ図である。図4Aおよび図4Bの中で示すように、この実施形態の中で提供される仮想識別モジュールのためのリチャージ方法は、以下を含む。
【００９５】
401．ユーザ機器が、ユーザ機器の地理的位置を検出する。
【００９６】
402．ユーザ機器の地理的位置が変化する場合、ユーザ機器は、位置情報を仮想識別モジュール提供装置へ送信する。
【００９７】
位置情報はユーザ機器の位置を示すために使用され、その結果、仮想識別モジュール提供装置が、位置情報に従って、リチャージされるべき仮想識別モジュールが、ユーザ機器の位置で利用可能である仮想識別モジュールまたはそのチャージが最適である仮想識別モジュールであることを決定する。
【００９８】
したがって、仮想識別モジュール提供装置が、ユーザ機器によって送信される位置情報を受信し、位置情報はユーザ機器の位置を示すために使用される。
【００９９】
403．仮想識別モジュール提供装置が、位置情報に従って、リチャージされるべき仮想識別モジュールが、ユーザ機器の位置で利用可能である仮想識別モジュールまたはそのチャージが最適である仮想識別モジュールであることを決定する。
【０１００】
404．リチャージされるべき仮想識別モジュールの資金が不十分である場合、仮想識別モジュール提供装置が、リチャージ推奨説明識別子およびリチャージ推奨説明情報をユーザ機器へ送信する。
【０１０１】
したがって、リチャージされるべき仮想識別モジュールの資金が不十分である場合、ユーザ機器が、仮想識別モジュール提供装置によって送信されるリチャージ推奨説明識別子およびリチャージ推奨説明情報を受信する。
【０１０２】
任意選択で、ステップ404の後、仮想識別モジュール提供装置が、リチャージ推奨説明識別子とリチャージ推奨説明情報との間の関係を保存する。
【０１０３】
405．ユーザ機器が、仮想識別モジュール提供装置によって送信されるリチャージ推奨説明情報を提示し、仮想識別モジュール提供装置によって送信されるリチャージ推奨説明情報に従って、ユーザによって作製される選択入力を受信し、リチャージ情報として選択入力に相当する、リチャージ推奨説明情報のリチャージ推奨説明識別子を決定する。
【０１０４】
406．ユーザ機器が、仮想識別モジュール提供装置へ、ユーザアカウント情報およびリチャージ情報を搬送する第1のリチャージ要求を送信し、リチャージ情報は、ユーザ機器によって決定されるリチャージ推奨説明識別子である。
【０１０５】
407．仮想識別モジュール提供装置が、ユーザ機器によって決定されるリチャージ推奨説明識別子に従って、リチャージ推奨説明情報を決定し、リチャージ推奨説明情報が、リチャージされるべき仮想識別モジュールの識別情報およびリチャージ量情報を含み、リチャージされるべき仮想識別モジュールの識別情報に従って、リチャージされるべき仮想識別モジュールを決定し、かつリチャージ量情報に従って、リチャージ量を決定する。
【０１０６】
特に、仮想識別モジュール提供装置が、ユーザ機器によって決定されるリチャージ推奨説明識別子に従って、リチャージ推奨説明情報を決定し、リチャージ推奨説明識別子とリチャージ推奨説明情報との間の関係を決定する。
【０１０７】
408．仮想識別モジュール提供装置が、第2のリチャージ要求を操作支援システムへ送信し、第2のリチャージ要求が、リチャージ量およびユーザアカウント情報を搬送する。
【０１０８】
409．操作支援システムが、リチャージ量をユーザアカウント情報に相当するアカウントから差し引き、リチャージされるべき仮想識別モジュールをリチャージする。
【０１０９】
410．操作支援システムが、リチャージが成功していることを示す応答メッセージを仮想識別モジュール提供装置へ返信する。
【０１１０】
411．仮想識別モジュール提供装置が、応答メッセージに従って、リチャージ後、ユーザアカウント情報に相当するアカウントのバランスおよび操作支援システムの中のリチャージされるべき仮想識別モジュールのリチャージされたアカウントバランスを記録する。
【０１１１】
この実施形態の中の地理的位置の観点から、ユーザが1つの地域から他の地域へ歩き回る場合、ユーザにサービスを提供する操作支援システムが、変化する可能性があり、ユーザ機器が検出動作をトリガし、位置情報を仮想識別モジュール提供装置へ送信し、仮想識別モジュール提供装置が、その位置で利用可能である仮想識別モジュール、またはリチャージされるべき仮想識別モジュールとして最適である仮想識別モジュールを決定する。前述の方法が、ユーザにとってリチャージする際の利便性および融通性を提供するばかりでなく、ユーザにとって相当するチャージを削減する。
【０１１２】
図5Aおよび図5Bは、本発明による仮想識別モジュールのためのリチャージ方法の実施形態4の信号方式流れ図である。図5Aおよび図5Bの中で示すように、この実施形態の中で提供される仮想識別モジュールのためのリチャージ方法は、以下を含む。
【０１１３】
501．仮想識別モジュール提供装置が、ユーザアカウントに相当する第1の仮想識別モジュールが予め設定された時間内に使用されておらず、ユーザアカウントに相当する第2の仮想識別モジュールのバランスが不十分であることを検出する場合、リチャージ推奨説明識別子およびリチャージ推奨説明情報をユーザ機器へ送信し、リチャージ推奨説明情報が、ユーザアカウントに相当する第1の仮想識別モジュールの識別子および第2の仮想識別モジュールの識別子を含む。
【０１１４】
したがって、ユーザ機器が、仮想識別モジュール提供装置によって送信されるリチャージ推奨説明識別子およびリチャージ推奨説明情報を受信し、リチャージ推奨説明情報が、ユーザアカウントに相当する第1の仮想識別モジュールの識別子および第2の仮想識別モジュールの識別子を含み、第1の仮想識別モジュールが予め設定された時間内に使用されておらず、リチャージされるべき仮想識別モジュールが、ユーザアカウントに相当する第2の仮想識別モジュールであり、第2の仮想識別モジュールのバランスが、不十分である。
【０１１５】
任意選択で、ステップ501の後、仮想識別モジュール提供装置が、リチャージ推奨説明識別子とリチャージ推奨説明情報との間の関係を保存する。
【０１１６】
502．ユーザ機器が、仮想識別モジュール提供装置によって送信されるリチャージ推奨説明情報を提示し、仮想識別モジュール提供装置によって送信されるリチャージ推奨説明情報に従って、ユーザによって作製される選択入力を受信し、リチャージ情報として選択入力に相当する、リチャージ推奨説明情報のリチャージ推奨説明識別子を決定する。
【０１１７】
503．ユーザ機器が、仮想識別モジュール提供装置へ、ユーザアカウント情報およびリチャージ情報を搬送する第1のリチャージ要求を送信し、リチャージ情報は、ユーザ機器によって決定されるリチャージ推奨説明識別子である。
【０１１８】
504．仮想識別モジュール提供装置が、ユーザ機器によって決定されるリチャージ推奨説明識別子に従って、リチャージ推奨説明情報を決定し、リチャージ推奨説明情報が、リチャージされるべき仮想識別モジュールの識別情報およびリチャージ量情報を含み、リチャージされるべき仮想識別モジュールの識別情報に従って、リチャージされるべき仮想識別モジュールを決定し、かつリチャージ量情報に従って、リチャージ量を決定する。
【０１１９】
特に、仮想識別モジュール提供装置が、ユーザ機器によって決定されるリチャージ推奨説明識別子に従って、リチャージ推奨説明情報を決定し、リチャージ推奨説明識別子とリチャージ推奨説明情報との間の関係を決定する。
【０１２０】
505．仮想識別モジュール提供装置が、資金転送要求を第1の仮想識別モジュールの操作支援システムへ送信し、資金転送要求が、ユーザアカウント情報および転送量を搬送し、転送量がリチャージ量に等しい。
【０１２１】
506．第1の仮想識別モジュールの操作支援システムが、転送量をユーザアカウント情報に相当するアカウントへ転送する。
【０１２２】
507．第1の仮想識別モジュールの操作支援システムが、転送が成功していることを示す応答メッセージを仮想識別モジュール提供装置に返信する。
【０１２３】
508．仮想識別モジュール提供装置が、第2のリチャージ要求を第2の仮想識別モジュールの操作支援システムへ送信し、第2のリチャージ要求が、リチャージ量およびユーザアカウント情報を搬送する。
【０１２４】
509．第2の仮想識別モジュールの操作支援システムが、リチャージ量をユーザアカウント情報に相当するアカウントから差し引き、リチャージされるべき仮想識別モジュールをリチャージする。
【０１２５】
510．第2の仮想識別モジュールの操作支援システムが、転送が成功していることを示す応答メッセージを仮想識別モジュール提供装置へ返信する。
【０１２６】
511．仮想識別モジュール提供装置が、応答メッセージに従って、リチャージ後、ユーザアカウント情報に相当するアカウントのバランスおよび操作支援システムの中のリチャージされるべき仮想識別モジュールのリチャージされたアカウントバランスを記録する。
【０１２７】
本発明の時間因子の観点から、第1の仮想識別モジュールが予め設定された時間内に使用されていない場合、仮想識別モジュール提供装置が、ユーザアカウントに相当し、そのバランスが不十分である第2の仮想識別モジュールを決定し、リチャージ推奨説明識別子およびリチャージ推奨説明情報をユーザ機器へ送信する。ユーザが、リチャージ推奨説明識別子を決定する後、ユーザ機器が、第1のリチャージ要求を仮想識別モジュール提供装置へ送信し、次いで仮想識別モジュール提供装置が、資金転送要求を第1の仮想識別モジュールの操作支援システムへ送信し、第1の仮想識別モジュールの操作支援システムが資金の転送に成功する後、第2のリチャージ要求を第2の仮想識別モジュールの操作支援システムへ送信し、その結果、第2の仮想識別モジュールの操作支援システムが、第2の仮想識別モジュールをリチャージし、それによって、1つの仮想ユーザ識別モジュールが、別の仮想ユーザ識別モジュールを使用することによってリチャージされることを実施する。仮想ユーザ識別モジュールのリチャージ方法は、より融通性が高く、多様であり、それによって、仮想ユーザ識別モジュールをリチャージする際の利便性を改善する。
【０１２８】
図6Aおよび図6Bは、本発明による仮想識別モジュールのためのリチャージ方法の実施形態5の信号方式流れ図である。図6Aおよび図6Bの中で示すように、この実施形態の中で提供される仮想識別モジュールのためのリチャージ方法は、以下を含む。
【０１２９】
601．リチャージされるべき仮想ユーザ識別モジュールが好適なチャージ率を含み、リチャージされるべき仮想ユーザ識別モジュールのバランスが予め設定された量よりも少ない場合、仮想識別モジュール提供装置が、リチャージ推奨説明識別子およびリチャージ推奨説明情報をユーザ機器へ送信する。
【０１３０】
したがって、リチャージされるべき仮想ユーザ識別モジュールが好適なチャージ率を含み、リチャージされるべき仮想ユーザ識別モジュールのバランスが予め設定された量よりも少ない場合、ユーザ機器が、仮想識別モジュール提供装置によって送信されるリチャージ推奨説明識別子およびリチャージ推奨説明情報を受信する。
【０１３１】
任意選択で、ステップ601の後、仮想識別モジュール提供装置が、リチャージ推奨説明識別子とリチャージ推奨説明情報との間の関係を保存する。
【０１３２】
602．ユーザ機器が、仮想識別モジュール提供装置によって送信されるリチャージ推奨説明情報を提示し、仮想識別モジュール提供装置によって送信されるリチャージ推奨説明情報に従って、ユーザによって作製される選択入力を受信し、リチャージ情報として選択入力に相当する、リチャージ推奨説明情報のリチャージ推奨説明識別子を決定する。
【０１３３】
603．ユーザ機器が、仮想識別モジュール提供装置へ、ユーザアカウント情報およびリチャージ情報を搬送する第1のリチャージ要求を送信し、リチャージ情報は、ユーザ機器によって決定されるリチャージ推奨説明識別子である。
【０１３４】
604．仮想識別モジュール提供装置が、ユーザ機器によって決定されるリチャージ推奨説明識別子に従って、リチャージ推奨説明情報を決定し、リチャージ推奨説明情報が、リチャージされるべき仮想識別モジュールの識別情報およびリチャージ量情報を含み、リチャージされるべき仮想識別モジュールの識別情報に従って、リチャージされるべき仮想識別モジュールを決定し、かつリチャージ量情報に従って、リチャージ量を決定する。
【０１３５】
特に、仮想識別モジュール提供装置が、ユーザ機器によって決定されるリチャージ推奨説明識別子に従って、リチャージ推奨説明情報を決定し、リチャージ推奨説明識別子とリチャージ推奨説明情報との間の関係を決定する。
【０１３６】
605．仮想識別モジュール提供装置が、第2のリチャージ要求を操作支援システムへ送信し、第2のリチャージ要求が、リチャージ量およびユーザアカウント情報を搬送する。
【０１３７】
606．操作支援システムが、リチャージ量をユーザアカウント情報に相当するアカウントから差し引き、リチャージされるべき仮想識別モジュールをリチャージする。
【０１３８】
607．操作支援システムが、転送が成功していることを示す応答メッセージを仮想識別モジュール提供装置へ返信する。
【０１３９】
608．仮想識別モジュール提供装置が、応答メッセージに従って、リチャージ後、ユーザアカウント情報に相当するアカウントのバランスおよび操作支援システムの中のリチャージされるべき仮想識別モジュールのリチャージされたアカウントバランスを記録する。
【０１４０】
この実施形態の中のリチャージ率の観点から、リチャージされるべき仮想ユーザ識別モジュールが好適なチャージ率を含み、リチャージされるべき仮想ユーザ識別モジュールのバランスが、予め設定された量よりも少ない場合、リチャージされるべき仮想ユーザ識別モジュールがリチャージされ、それによって、ユーザにとってリチャージする際の利便性および融通性を提供するばかりでなく、相当するチャージを削減する。
【０１４１】
前述の実施形態は、単なる例示的実施形態であり、特定の実施工程では、実施形態の中の応用シナリオが任意のリチャージシナリオに応用され得ることを当業者なら理解することができる。例えば、交通について、リチャージ工程は、前述の実施形態と同様であり、相違点は、リチャージ推奨の中で、「バランス」が「交通」に取って代わる点にある。実施形態が応用される別のリチャージ工程の特定の実施方法は、実施形態の中で特に限定されない。
【０１４２】
図7は、本発明による仮想識別モジュール提供装置の実施形態1の構造の概略図である。図7に示すように、本発明の実施形態の中で提供される仮想識別モジュール提供装置70が、第1の受信モジュール701、第1の決定モジュール702および第1の送信モジュール703を含む。
【０１４３】
第1の受信モジュール701は、ユーザ機器によって送信され、ユーザアカウント情報およびリチャージ情報を搬送する第1のリチャージ要求を受信するように構成される。
【０１４４】
第1の決定モジュール702は、リチャージ情報に従って、リチャージされるべき仮想識別モジュールおよびリチャージ量を決定するように構成される。
【０１４５】
第1の送信モジュール703は、リチャージされるべき仮想識別モジュールの操作支援システムへ第2のリチャージ要求を送信し、第2のリチャージ要求がリチャージ量およびユーザアカウント情報を搬送し、その結果、リチャージされるべき仮想識別モジュールの操作支援システムが、リチャージ量をユーザアカウント情報に相当するアカウントから差し引き、リチャージされるべき仮想識別モジュールをリチャージする。
【０１４６】
この実施形態の中で提供される仮想識別モジュール提供装置は、前述の方法の実施形態の中で技術的解決策を実施するために使用され得る。その実施原則および技術的効果は同様であり、本明細書では詳細を再び説明しない。
【０１４７】
図8は、本発明による仮想識別モジュール提供装置の実施形態2の構造の概略図である。図8に示すように、この実施形態は、図7に示す実施形態に基づいて実施され、詳細には以下の通りである。
【０１４８】
リチャージ情報は、リチャージされるべき仮想識別モジュールの情報およびリチャージ量情報を含む。
【０１４９】
第1の決定モジュール702は、
リチャージされるべき仮想識別モジュールの識別情報 に従って、リチャージされるべき仮想識別モジュールを決定するように構成される、第1のモジュール決定ユニット7021と、
リチャージ量情報に従って、リチャージ量を決定するように構成される、第1の量決定ユニット7022とを含む。
【０１５０】
この実施形態の中で提供される仮想識別モジュール提供装置は、前述の方法の実施形態の中で技術的解決策を実施するために使用され得る。その実施原則および技術的効果は同様であり、本明細書では詳細を再び説明しない。
【０１５１】
図9は、本発明による仮想識別モジュール提供装置の実施形態3の構造の概略図である。図9に示すように、この実施形態は、図7に示す実施形態に基づいて実施され、詳細には以下の通りである。
【０１５２】
リチャージ情報は、ユーザ機器によって決定されるリチャージ推奨説明識別子である。
【０１５３】
第1の決定モジュール702が、
ユーザ機器によって決定されるリチャージ推奨説明識別子に従って、リチャージ推奨説明情報を決定するように構成される、情報決定ユニット7023であって、リチャージ推奨説明情報が、リチャージされるべき仮想識別モジュールの識別情報およびリチャージ量情報を含む、情報決定ユニット7023と、
リチャージされるべき仮想識別モジュールの識別情報に従って、リチャージされるべき仮想識別モジュールを決定するように構成される、第2のモジュール決定ユニット7024と、
リチャージ量情報に従って、リチャージ量を決定するように構成される、第2の量決定ユニット7025とを含む。
【０１５４】
この実施形態の中で提供される仮想識別モジュール提供装置は、前述の方法の実施形態の中で技術的解決策を実施するために使用され得る。その実施原則および技術的効果は同様であり、本明細書では詳細を再び説明しない。
【０１５５】
図10は、本発明による仮想識別モジュール提供装置の実施形態4の構造の概略図である。図10に示すように、図9に示す実施形態に基づいて、この実施形態は、更に以下を含む。
第1の受信モジュールが、ユーザ機器によって送信され、ユーザアカウント情報およびリチャージ情報を搬送する第1のリチャージ要求を受信する前に、ユーザ機器によって送信される位置情報を受信するように構成される第2の受信モジュール704であって、位置情報が、ユーザ機器の位置を示すために使用される、第2の受信モジュール704と、
位置情報に従って、リチャージされるべき仮想識別モジュールが、ユーザ機器の位置で利用可能である仮想識別モジュールまたはそのチャージが最適である仮想識別モジュールであることを決定するように構成される、第2の決定モジュール705と、
リチャージされるべき仮想識別モジュールの資金が不十分である場合、リチャージ推奨説明識別子およびリチャージ推奨説明情報をユーザ機器へ送信するように構成される第2の送信モジュール706であって、その結果、リチャージ推奨説明識別子およびリチャージ推奨説明情報に従って、ユーザ機器がリチャージ情報を決定する、第2の送信モジュール706とを含む。
【０１５６】
任意選択で、仮想識別モジュール提供装置が、リチャージ推奨説明識別子およびリチャージ推奨説明情報がユーザ機器へ送信される後に、リチャージ推奨説明識別子とリチャージ推奨説明情報との間の関係を保存するように構成される、記憶モジュール710を更に含むことができ、情報決定ユニット7023が、
ユーザ機器によって決定されるリチャージ推奨説明識別子およびリチャージ推奨説明識別子とリチャージ推奨説明情報との間の関係に従って、リチャージ推奨説明情報を決定するように特に構成される。
【０１５７】
任意選択で、仮想識別モジュール提供装置が、第2のリチャージ要求をリチャージされるべき仮想識別モジュールの操作支援システムへ送信後に、リチャージが成功する後に、リチャージされるべき仮想識別モジュールの操作支援システムによって返信される応答メッセージを受信し、かつ応答メッセージに従って、リチャージ後、ユーザアカウント情報に相当するアカウントのバランスおよび操作支援システムの中のリチャージされるべき仮想識別モジュールのリチャージされたアカウントバランスを記録するように構成される、第3の受信モジュール711と、
ユーザ機器にリチャージ結果を送信するように構成される、第6の送信モジュール712であって、リチャージ結果が、リチャージされた仮想識別モジュールの識別子およびバランスを含む、第6の送信モジュール712とを更に含む。
【０１５８】
この実施形態の中で提供される仮想識別モジュール提供装置は、前述の方法の実施形態の中で技術的解決策を実施するために使用され得る。その実施原則および技術的効果は同様であり、本明細書では詳細を再び説明しない。
【０１５９】
図11は、本発明による仮想識別モジュール提供装置の実施形態5の構造の概略図である。図11に示すように、図9に示す実施形態に基づいて、この実施形態は、更に以下を含む。
第1の受信モジュールが、ユーザ機器によって送信され、ユーザアカウント情報およびリチャージ情報を搬送する第1のリチャージ要求を受信する前に、ユーザアカウントに相当する第1の仮想識別モジュールが、予め設定された時間内で使用されておらず、ユーザアカウントに相当する第2の仮想識別モジュールのバランスが、不十分であることが検出される場合、リチャージ推奨説明識別子およびリチャージ推奨説明情報をユーザ機器へ送信するように構成される第3の送信モジュール707であって、その結果、ユーザ機器が、リチャージ推奨説明情報およびリチャージ推奨説明識別子に従って、リチャージ情報を決定し、第2の仮想識別モジュールが、リチャージされるべき仮想識別モジュールであり、リチャージ推奨説明情報が、第1の仮想識別モジュールの識別子を含む、第3の送信モジュール707と、
第1の送信モジュールが、リチャージされるべき仮想識別モジュールの操作支援システムへ第2のリチャージ要求を送信する前に、第1の仮想識別モジュールの操作支援システムへ資金転送要求を送信するように構成される、第4の送信モジュール708であって、資金転送要求が、ユーザアカウント情報および転送量を搬送し、転送量が、リチャージ量に等しく、その結果、第1の仮想識別モジュールの操作支援システムが、ユーザアカウント情報に相当するアカウントへ転送量を転送する、第4の送信モジュール708とを更に含む。
【０１６０】
任意選択で、仮想識別モジュール提供装置が、リチャージ推奨説明識別子およびリチャージ推奨説明情報がユーザ機器へ送信される後に、リチャージ推奨説明識別子とリチャージ推奨説明情報との間の関係を保存するように構成される、記憶モジュール710を更に含むことができ、情報決定ユニット7023が、
ユーザ機器によって決定されるリチャージ推奨説明識別子およびリチャージ推奨説明識別子とリチャージ推奨説明情報との間の関係に従って、リチャージ推奨説明情報を決定するように特に構成される。
【０１６１】
任意選択で、仮想識別モジュール提供装置が、第1の送信モジュール703が第2のリチャージ要求をリチャージされるべき仮想識別モジュールの操作支援システムへ送信する後に、リチャージが成功する後に、リチャージされるべき仮想識別モジュールの操作支援システムによって返信される応答メッセージを受信し、かつ応答メッセージに従って、リチャージ後、ユーザアカウント情報に相当するアカウントのバランスおよび操作支援システムの中のリチャージされるべき仮想識別モジュールのリチャージされたアカウントバランスを記録するように構成される、第3の受信モジュール711と、
ユーザ機器へリチャージ結果を送信するように構成される、第6の送信モジュール712であって、リチャージ結果が、リチャージされた仮想識別モジュールの識別子およびバランスを含む、第6の送信モジュール712とを更に含む。
【０１６２】
この実施形態の中で提供される仮想識別モジュール提供装置は、前述の方法の実施形態の中で技術的解決策を実施するために使用され得る。その実施原則および技術的効果は同様であり、本明細書では詳細を再び説明しない。
【０１６３】
図12は、本発明による仮想識別モジュール提供装置の実施形態6の構造の概略図である。図12に示すように、図9に示す実施形態に基づいて、この実施形態は、
第1の受信モジュールが、ユーザ機器によって送信され、ユーザアカウント情報およびリチャージ情報を搬送する第1のリチャージ要求を受信する前に、リチャージされるべき仮想ユーザ識別モジュールが、好適なチャージ率を含み、リチャージされるべき仮想ユーザ識別モジュールのバランスが、予め設定された量よりも少ない場合、リチャージ推奨説明識別子およびリチャージ推奨説明情報をユーザ機器へ送信するように構成される第5の送信モジュールを709であって、その結果、ユーザ機器が、リチャージ推奨説明識別子およびリチャージ推奨説明情報に従って、リチャージ情報を決定する、第5の送信モジュール709を更に含む。
【０１６４】
任意選択で、仮想識別モジュール提供装置が、リチャージ推奨説明識別子およびリチャージ推奨説明情報がユーザ機器へ送信される後に、リチャージ推奨説明識別子とリチャージ推奨説明情報との間の関係を保存するように構成される、記憶モジュール710を更に含むことができ、
情報決定ユニット7023が、
ユーザ機器によって決定されるリチャージ推奨説明識別子およびリチャージ推奨説明識別子とリチャージ推奨説明情報との間の関係に従って、リチャージ推奨説明情報を決定するように特に構成される。
【０１６５】
任意選択で、仮想識別モジュール提供装置が、第1の送信モジュールが第2のリチャージ要求をリチャージされるべき仮想識別モジュールの操作支援システムへ送信する後に、リチャージが成功する後に、リチャージされるべき仮想識別モジュールの操作支援システムによって返信される応答メッセージを受信し、かつ応答メッセージに従って、リチャージ後、ユーザアカウント情報に相当するアカウントのバランスおよび操作支援システムの中のリチャージされるべき仮想識別モジュールのリチャージされたアカウントバランスを記録するように構成される、第3の受信モジュール711と、
ユーザ機器へリチャージ結果を送信するように構成される、第6の送信モジュール712であって、リチャージ結果が、リチャージされた仮想識別モジュールの識別子およびバランスを含む、第6の送信モジュール712とを更に含む。
【０１６６】
この実施形態の中で提供される仮想識別モジュール提供装置は、前述の方法の実施形態の中で技術的解決策を実施するために使用され得る。その実施原則および技術的効果は同様であり、本明細書では詳細を再び説明しない。
【０１６７】
図13は、本発明によるユーザ機器の実施形態1の構造の概略図である。図13に示すように、この実施形態の中で提供されるユーザ機器80が、決定モジュール801、第1の送信モジュール802および第1の受信モジュール803を含む。
【０１６８】
決定モジュール801が、リチャージ情報を決定するように構成され、リチャージ情報は、リチャージされるべき仮想識別モジュールおよびリチャージ量を決定するために使用される。
【０１６９】
第1の送信モジュール802が、仮想識別モジュール提供装置へ、ユーザアカウント情報およびリチャージ情報を搬送する第1のリチャージ要求を送信するように構成され、その結果、仮想識別モジュール提供装置が、リチャージされるべき仮想識別モジュールの操作支援システムへ、リチャージ量を搬送する第2のリチャージ要求を送信する。
【０１７０】
第1の受信モジュール803が、仮想識別モジュール提供装置によって送信されるリチャージ結果を受信するように構成される。
【０１７１】
この実施形態の中で提供されるユーザ機器は、前述の方法の実施形態の中で技術的解決策を実施するために使用され得る。その実施原則および技術的効果は同様であり、本明細書では詳細を再び説明しない。
【０１７２】
任意選択で、決定モジュール801が、
ユーザによって入力されるリチャージ操作指示を獲得し、かつリチャージ操作指示に従って、リチャージ情報を決定するように特に構成され、
リチャージ情報が、リチャージされるべき仮想識別モジュールの識別情報およびリチャージ量情報を含む。
【０１７３】
任意選択で、リチャージ情報が、ユーザ機器によって決定されるリチャージ推奨説明識別子であり、リチャージ推奨説明識別子が、リチャージ推奨説明情報を識別するために使用され、リチャージ推奨説明情報が、リチャージされるべき仮想識別モジュールの識別子およびリチャージ量情報を含む。
【０１７４】
この実施形態の中で提供されるユーザ機器は、前述の方法の実施形態の中で技術的解決策を実施するために使用され得る。その実施原則および技術的効果は同様であり、本明細書では詳細を再び説明しない。
【０１７５】
図14は、本発明によるユーザ機器の実施形態2の構造の概略図である。図14に示すように、図13に示す実施形態に基づいて、この実施形態は、
決定モジュールがリチャージ情報を決定する前に、ユーザ機器の地理的位置を検出し、ユーザ機器の地理的位置が変化する場合、位置情報を仮想識別モジュール提供装置に送信するように構成される、第2の送信モジュール804であって、位置情報が、ユーザ機器の位置を示すために使用され、その結果、仮想識別モジュール提供装置が、位置情報に従って、リチャージされるべき仮想識別モジュールが、ユーザ機器の位置で利用可能である仮想識別モジュール、またはそのチャージが最適である仮想識別モジュールであることを決定する、第2の送信モジュール804を更に含み、
決定モジュール801が、
リチャージされるべき仮想識別モジュールの資金が不十分である場合、仮想識別モジュール提供装置によって送信されるリチャージ推奨説明識別子およびリチャージ推奨説明情報を受信するように構成される、第1の受信ユニット8011と、
仮想識別モジュール提供装置によって送信されるリチャージ推奨説明情報を提示するように構成される、第1の提示ユニット8012と、
仮想識別モジュール提供装置によって送信されるリチャージ推奨説明情報に従って、ユーザによって作製される選択入力を受信するように構成される、第2の受信ユニット8013と、
リチャージ情報として選択入力に相当する、リチャージ推奨説明情報のリチャージ推奨説明識別子を決定するように構成される、第1の処理ユニット8014とを含む。
【０１７６】
この実施形態の中で提供されるユーザ機器は、前述の方法の実施形態の中で技術的解決策を実施するために使用され得る。その実施原則および技術的効果は同様であり、本明細書では詳細を再び説明しない。
【０１７７】
図15は、本発明によるユーザ機器の実施形態3の構造の概略図である。図15に示すように、この実施形態は、図13に示す実施形態に基づいて実施され、詳細には以下の通りである。
【０１７８】
決定モジュール801が、
仮想識別モジュール提供装置によって送信されるリチャージ推奨説明識別子およびリチャージ推奨説明情報を受信するように構成される、第3の受信ユニット8015であって、リチャージ推奨説明情報が、ユーザアカウントに相当する第1の仮想識別モジュールの識別子および第2の仮想識別モジュールの識別子を含み、第1の仮想識別モジュールが予め設定された時間内に使用されておらず、リチャージされるべき仮想識別モジュールが、ユーザアカウントに相当する第2の仮想識別モジュールであり、第2の仮想識別モジュールのバランスが、不十分である、第3の受信ユニット8015と、
仮想識別モジュール提供装置によって送信されるリチャージ推奨説明情報を提示するように構成される、第2の提示ユニット8016と、
仮想識別モジュール提供装置によって送信されるリチャージ推奨説明情報に従って、ユーザによって作製される選択入力を受信するように構成される、第4の受信ユニット8017と、
リチャージ情報として選択入力に相当する、リチャージ推奨説明情報のリチャージ推奨説明識別子を決定するように構成される、第2の処理ユニット8018とを含む。
【０１７９】
この実施形態の中で提供されるユーザ機器は、前述の方法の実施形態の中で技術的解決策を実施するために使用され得る。その実施原則および技術的効果は同様であり、本明細書では詳細を再び説明しない。
【０１８０】
図16は、本発明によるユーザ機器の実施形態4の構造の概略図である。図16に示すように、この実施形態は、図13に示す実施形態に基づいて実施され、詳細には以下の通りである。
【０１８１】
決定モジュール801が、
リチャージされるべき仮想ユーザ識別モジュールが好適なチャージ率を含み、リチャージされるべき仮想ユーザ識別モジュールのバランスが予め設定された量よりも少ない場合、仮想識別モジュール提供装置によって送信されるリチャージ推奨説明識別子およびリチャージ推奨説明情報を受信するように構成される、第5の受信ユニット8019と、
仮想識別モジュール提供装置によって送信されるリチャージ推奨説明情報を提示するように構成される、第3の提示ユニット8020と、
仮想識別モジュール提供装置によって送信されるリチャージ推奨説明情報に従って、ユーザによって作製される選択入力を受信するように構成される、第6の受信ユニット8021と、
リチャージ情報として選択入力に相当する、リチャージ推奨説明情報のリチャージ推奨説明識別子を決定するように構成される、第3の処理ユニット8022とを含む。
【０１８２】
この実施形態の中で提供されるユーザ機器は、前述の方法の実施形態の中で技術的解決策を実施するために使用され得る。その実施原則および技術的効果は同様であり、本明細書では詳細を再び説明しない。
【０１８３】
図17は、本発明による仮想識別モジュール提供装置の実施形態7の構造の概略図である。図17に示すように、本発明の中で提供される仮想識別モジュール提供装置90が、受信機901、処理装置902および送信機903を含む。
【０１８４】
受信機901は、ユーザ機器によって送信され、ユーザアカウント情報およびリチャージ情報を搬送する第1のリチャージ要求を受信するように構成される。
【０１８５】
処理装置902は、リチャージ情報に従って、リチャージされるべき仮想識別モジュールおよびリチャージ量を決定するように構成される。
【０１８６】
送信機903は、リチャージされるべき仮想識別モジュールの操作支援システムへ第2のリチャージ要求を送信し、第2のリチャージ要求がリチャージ量およびユーザアカウント情報を搬送し、その結果、リチャージされるべき仮想識別モジュールの操作支援システムが、リチャージ量をユーザアカウント情報に相当するアカウントから差し引き、リチャージされるべき仮想識別モジュールをリチャージする。
【０１８７】
任意選択で、リチャージ情報が、リチャージされるべき仮想識別モジュールの識別情報およびリチャージ量情報を含み、処理装置902が、リチャージされるべき仮想識別モジュールの識別情報に従って、リチャージされるべき仮想識別モジュールを決定し、かつリチャージ量情報に従って、リチャージ量を決定するように特に構成される。
【０１８８】
任意選択で、リチャージ情報が、ユーザ機器によって決定されるリチャージ推奨説明識別子であり、
処理装置902が、
ユーザ機器によって決定されるリチャージ推奨説明識別子に従って、リチャージ推奨説明情報を決定し、、リチャージ推奨説明情報が、リチャージされるべき仮想識別モジュールの識別情報およびリチャージ量情報を含み、
リチャージされるべき仮想識別モジュールの識別情報に従って、リチャージされるべき仮想識別モジュールを決定し、かつ
リチャージ量情報に従って、リチャージ量を決定するように特に構成される。
【０１８９】
任意選択で、受信機901が、ユーザ機器によって送信され、ユーザアカウント情報およびリチャージ情報を搬送する第1のリチャージ要求を受信する前に、ユーザ機器によって送信される位置情報を受信するように更に構成され、位置情報が、ユーザ機器の位置を示すために使用され、
処理装置902が、位置情報に従って、リチャージされるべき仮想識別モジュールが、ユーザ機器の位置で利用可能である仮想識別モジュールまたはそのチャージが最適である仮想識別モジュールであることを決定するように更に構成され、
送信機903が、リチャージされるべき仮想識別モジュールの資金が不十分である場合、リチャージ推奨説明識別子およびリチャージ推奨説明情報をユーザ機器へ送信するように更に構成され、その結果、リチャージ推奨説明識別子およびリチャージ推奨説明情報に従って、ユーザ機器がリチャージ情報を決定する。
【０１９０】
任意選択で、受信機が、ユーザ機器によって送信され、ユーザアカウント情報およびリチャージ情報を搬送する第1のリチャージ要求を受信する前に、ユーザアカウントに相当する第1の仮想識別モジュールが、予め設定された時間内で使用されておらず、ユーザアカウントに相当する第2の仮想識別モジュールのバランスが、不十分であることが検出される場合、送信機903が、リチャージ推奨説明識別子およびリチャージ推奨説明情報をユーザ機器へ送信するように更に構成され、その結果、ユーザ機器が、リチャージ推奨説明情報およびリチャージ推奨説明識別子に従って、リチャージ情報を決定し、第2の仮想識別モジュールが、リチャージされるべき仮想識別モジュールであり、リチャージ推奨説明情報が、第1の仮想識別モジュールの識別子を含み、
送信機903が、リチャージされるべき仮想識別モジュールの操作支援システムへ第2のリチャージ要求を送信する前に、第1の仮想識別モジュールの操作支援システムへ資金転送要求を送信するように更に構成され、資金転送要求が、ユーザアカウント情報および転送量を搬送し、転送量が、リチャージ量に等しく、その結果、第1の仮想識別モジュールの操作支援システムが、転送量をユーザアカウント情報に相当するアカウントへ転送する。
【０１９１】
任意選択で、受信機が、ユーザ機器によって送信され、ユーザアカウント情報およびリチャージ情報を搬送する第1のリチャージ要求を受信する前に、リチャージされるべき仮想ユーザ識別モジュールが、好適なチャージ率を含み、リチャージされるべき仮想ユーザ識別モジュールのバランスが、予め設定された量よりも少ない場合、送信機903が、リチャージ推奨説明識別子およびリチャージ推奨説明情報をユーザ機器へ送信するように更に構成され、その結果、ユーザ機器が、リチャージ推奨説明識別子およびリチャージ推奨説明情報に従って、リチャージ情報を決定する。
【０１９２】
任意選択で、リチャージ推奨説明識別子およびリチャージ推奨説明情報が、ユーザ機器に送信される後に、処理装置902が、リチャージ推奨説明識別子とリチャージ推奨説明情報との間の関係を保存するように更に構成され、
処理装置902が、ユーザ機器によって決定されるリチャージ推奨説明識別子に従って、リチャージ推奨説明情報を決定することが、詳細には、ユーザ機器によって決定されるリチャージ推奨説明識別子、およびリチャージ推奨説明識別子とリチャージ推奨説明情報との間の関係に従って、処理装置902が、リチャージ推奨説明情報を決定することである。
【０１９３】
任意選択で、送信機が第2のリチャージ要求をリチャージされるべき仮想識別モジュールの操作支援システムへ送信する後に、リチャージが成功する後に、受信機901が、リチャージされるべき仮想識別モジュールの操作支援システムによって返信される応答メッセージを受信し、かつ応答メッセージに従って、リチャージ後、ユーザアカウント情報に相当するアカウントのバランスおよび操作支援システムの中のリチャージされるべき仮想識別モジュールのリチャージされたアカウントバランスを記録するように更に構成され、
送信機903が、リチャージ結果をユーザ機器へ送信するように更に構成され、リチャージ結果がリチャージされた仮想識別モジュールの識別子およびバランスを含む。
【０１９４】
この実施形態の中で提供される仮想識別モジュール提供装置は、前述の方法の実施形態の中で技術的解決策を実施するために使用され得る。その実施原則および技術的効果は同様であり、本明細書では詳細を再び説明しない。
【０１９５】
図18は、本発明によるユーザ機器の実施形態5の構造の概略図である。図18に示すように、本発明の中で提供されるユーザ機器100は、処理装置1001、送信機1002および受信機1003を含む。任意選択で、ユーザ機器100は、出力装置1004および入力装置1005を更に含む。
【０１９６】
処理装置1001が、リチャージ情報を決定するように構成され、リチャージ情報は、リチャージされるべき仮想識別モジュールおよびリチャージ量を決定するために使用される。
【０１９７】
送信機1002が、仮想識別モジュール提供装置へ、ユーザアカウント情報およびリチャージ情報を搬送する第1のリチャージ要求を送信するように構成され、その結果、仮想識別モジュール提供装置が、リチャージされるべき仮想識別モジュールの操作支援システムへ、リチャージ量を搬送する第2のリチャージ要求を送信する。
【０１９８】
受信機1003が、仮想識別モジュール提供装置によって送信されるリチャージ結果を受信するように構成される。
【０１９９】
任意選択で、処理装置1001が、
ユーザによって入力されるリチャージ操作指示を獲得し、かつリチャージ操作指示に従って、リチャージ情報を決定するように特に構成され、
リチャージ情報が、リチャージされるべき仮想識別モジュールの識別情報およびリチャージ量情報を含む。
【０２００】
任意選択で、リチャージ情報が、ユーザ機器によって決定されるリチャージ推奨説明識別子であり、リチャージ推奨説明識別子が、リチャージ推奨説明情報を識別するために使用され、リチャージ推奨説明情報が、リチャージされるべき仮想識別モジュールの識別子およびリチャージ量情報を含む。
【０２０１】
任意選択で、処理装置がリチャージ情報を決定する前に、送信機1002が、ユーザ機器の地理的位置を検出し、ユーザ機器の地理的位置が変化する場合、位置情報を仮想識別モジュール提供装置に送信するように更に構成され、位置情報が、ユーザ機器の位置を示すために使用され、その結果、仮想識別モジュール提供装置が、位置情報に従って、リチャージされるべき仮想識別モジュールが、ユーザ機器の位置で利用可能である仮想識別モジュール、またはそのチャージが最適である仮想識別モジュールであることを決定し、
受信機1003が、リチャージされるべき仮想識別モジュールの資金が不十分である場合、仮想識別モジュール提供装置によって送信されるリチャージ推奨説明識別子およびリチャージ推奨説明情報を受信するように更に構成され、
ユーザ機器が、
仮想識別モジュール提供装置によって送信されるリチャージ推奨説明情報を提示するように構成される、出力装置1004と、
仮想識別モジュール提供装置によって送信されるリチャージ推奨説明情報に従って、ユーザによって作製される選択入力を受信するように構成される、入力装置1005とを更に含み、
処理装置1001が、リチャージ情報として選択情報に相当する、リチャージ推奨説明情報のリチャージ推奨説明識別子を決定するように特に構成される。
【０２０２】
任意選択で、受信機1003が、仮想識別モジュール提供装置によって送信されるリチャージ推奨説明識別子およびリチャージ推奨説明情報を受信するように更に構成され、リチャージ推奨説明情報が、ユーザアカウントに相当する第1の仮想識別モジュールの識別子および第2の仮想識別モジュールの識別子を含み、第1の仮想識別モジュールが予め設定された時間内に使用されておらず、リチャージされるべき仮想識別モジュールが、ユーザアカウントに相当する第2の仮想識別モジュールであり、第2の仮想識別モジュールのバランスが、不十分である。
ユーザ機器が、
仮想識別モジュール提供装置によって送信されるリチャージ推奨説明情報を提示するように構成される、出力装置1004と、
仮想識別モジュール提供装置によって送信されるリチャージ推奨説明情報に従って、ユーザによって作製される選択入力を受信するように構成される、入力装置1005とを更に備え、
処理装置1001が、リチャージ情報として選択入力に相当する、リチャージ推奨説明情報のリチャージ推奨説明識別子を決定するように更に構成される。
【０２０３】
任意選択で、受信機1003が、リチャージされるべき仮想ユーザ識別モジュールが好適なチャージ率を含み、リチャージされるべき仮想ユーザ識別モジュールのバランスが予め設定された量よりも少ない場合、仮想識別モジュール提供装置によって送信されるリチャージ推奨説明識別子およびリチャージ推奨説明情報を受信するように更に構成される。
ユーザ機器が、
仮想識別モジュール提供装置によって送信されるリチャージ推奨説明情報を提示するように構成される、出力装置1004と、
仮想識別モジュール提供装置によって送信されるリチャージ推奨説明情報に従って、ユーザによって作製される選択入力を受信するように構成される、入力装置1005とを更に備え、
処理装置1001が、リチャージ情報として選択入力に相当する、リチャージ推奨説明情報のリチャージ推奨説明識別子を決定するように更に構成される。
【０２０４】
前述の実施形態では、入力装置1004がユーザとユーザ機器との間のインタラクションを実施し、および／またはユーザ機器へ情報を入力するように構成される。例えば、入力装置は、ユーザによって入力される数字または文字情報を受信することができ、ユーザ設定または機能制御に関連する入力信号を生成するようにする。本発明の特定の実施方法では、入力装置は、タッチパネルであることができ、例えば、物理的入力キーおよびマイクロフォンなど、別の人間とコンピュータとの間のインタラクション・インターフェースであることができ、あるいは例えばカメラなど、外部情報を獲得するための別の装置であることができる。タッチスクリーンとも呼ばれるタッチパネルは、タッチパネル上、またはタッチパネル近傍に触れることによってユーザによって実施される操作動作、例えば、指またはスタイラスなどの任意の適切な対象物または付属物を使用することによって、タッチパネル上、またはタッチパネル近傍の位置でユーザによって実施される操作動作を収集することができ、相当する接続装置が、予め設定されたプログラムに従って駆動される。任意選択で、タッチパネルは、2つの部分、タッチ検出装置およびタッチ制御装置を含むことができる。タッチ検出装置は、ユーザのタッチ操作を検出し、検出されたタッチ操作を電気信号に変換し、電気信号をタッチ制御装置に送信し、タッチ制御装置は、電気信号をタッチ検出装置から受信し、電気信号をタッチポイント座標に変換し、次いでタッチポイント座標を処理ユニットへ送信する。タッチ制御装置は、処理ユニットから送信される命令を更に受信し、実行することができる。加えて、タッチパネルは、抵抗方式、容量方式、赤外線（Infrared）方式および表面音響波など、複数の方式の中で実施され得る。本発明の別の実施方法では、入力装置によって使用される物理的入力キーは、限定しないが、物理的キーボード、機能キー（音量制御キーまたはオン／オフキーなど）、トラックボール、マウス、ジョイスティックなどの1つまたは複数を含むことができる。マイクロフォンの形態の入力装置は、ユーザによってまたは環境の中で入力される音声を捉えることができ、その音声を電気信号の形態であり、処理ユニットによって実行され得る命令に変換することができる。
【０２０５】
出力装置1005は、限定しないが、画像出力装置および音声出力装置を含む。画像出力装置は、文字、画像および／または映像を出力するように構成される。画像出力装置は、LCD（Liquid Crystal Display、液晶表示）、OLED（Organic Light−Emitting Diode、有機発光ダイオード）、電解放出ディスプレイ（field emission display、略してFED）などを含むことができ、あるいは画像出力装置は、反射型ディスプレイ、例えば、電気泳動（electrophoretic）ディスプレイ、または光の干渉変調（Interferometric Modulation of Light）技術を使用するディスプレイを含むことができる。画像出力装置は、単一のディスプレイまたは異なるサイズの複数のディスプレイを含むことができる。本発明の特定の実施方法では、前述の入力ユニットによって使用されるタッチパネルは、同時に出力装置のディスプレイパネルとしてもまた使用され得る。例えば、タッチパネルに触れることによって、またはタッチパネル近傍で、ジェスチャ操作を検出後、タッチパネルは、ジェスチャ操作を処理ユニットへ送信し、その結果、タッチイベントのタイプを決定し、次いで処理ユニットがタッチイベントのタイプに従って、ディスプレイパネル上に相当する視覚出力を提供する。図1では、入力ユニットおよび出力装置が、2つの独立した部分として働いて、ユーザ機器の入力機能および出力機能を実施するが、しかし、いくつかの実施形態では、タッチパネルおよびディスプレイパネルは、統合されて、ユーザ機器の入力機能および出力機能を実施することができる。例えば、画像出力装置は、様々なグラフィカルユーザインターフェース（Graphical User Interface、略してGUI）を表示することができ、その結果、グラフィカルユーザインターフェースを視覚制御構成要素として使用することができ、グラフィカルユーザインターフェースには、限定しないが、ウィンドウ、スクロールバー、アイコンおよびクリップボードが含まれ、ユーザがタッチ様式で操作するようにする。
【０２０６】
本発明の特定の実施方法では、画像出力装置は、フィルタおよび増幅器を含み、処理ユニットによって出力される映像にフィルタをかけ、増幅するように構成される。音声出力装置は、処理ユニットによって出力される音声信号をデジタル形式からアナログ形式に変換するように構成されるデジタルアナログ変換器を含む。
【０２０７】
送信機1002および受信機1003は、通信チャンネルを確立するように構成される。送信機1002および受信機1003は、通信モジュールに相当する、無線ローカルエリアネットワーク（Wireless Local Area Network、略してwireless LAN）モジュール、ブルートゥース（登録商標）モジュール、ベースバンド（Base Band）モジュール、および無線周波数（Radio Frequency、略してRF）回路などを含むことができ、その結果、無線ローカルエリアネットワーク通信、ブルートゥース（登録商標）通信、赤外線通信および／またはセルラ方式通信システム通信、例えば、広帯域符号分割多重アクセス（Wideband Code DivisionMultiple Access、略してW−CDMA）および／または高速ダウンリンク・パケット・アクセス（High Speed Downlink PacketAccess、略してHSDPA）を実施するようにする。送信機1002および受信機1003は、ユーザ機器の様々な構成要素の通信を制御するように構成され、直接記憶アクセス（Direct MemoryAccess）を支援することができる。
【０２０８】
本発明の様々な実施方法では、送信機1002および受信機1003の様々な通信モジュールが、集積回路チップ（Integrated Circuit Chip）の形態であると一般的に思われ、すべての通信モジュールおよび相当するアンテナ群を含む必要がなく、選択的に組み合わされることができる。例えば、送信機1002および受信機1003は、ベースバンドチップ、無線周波数チップおよび相当するアンテナだけを含むことができ、その結果、1つのセルラ方式通信システムの中で通信機能を提供するようにする。ユーザ機器は、送信機1002および受信機1003によって確立される無線通信接続を介して、例えば、無線ローカルエリアネットワークアクセスまたは受信機1003のWCDMA（登録商標）アクセスを使用することによって、セルラ通信網（Cellular Network）またはインターネット（Internet）に接続することができる。本発明のいくつかの選択的実施方法では、通信モジュール、例えば、送信機1002および受信機1003のベースバンドモジュールは、典型的には、クアルコム（Qualcomm）社によって提供されるAPQ＋MDMプラットフォームなど、処理ユニットの中に統合され得る。
【０２０９】
無線周波数回路は、情報受信および送信、または呼処理中の信号受信および送信のために使用される。例えば、基地局のダウンリンク情報を受信後、無線周波数回路は、ダウンリンク情報を処理のために処理ユニットへ送信し、加えて、携帯電話の上りデータを基地局へ送信する。一般的に、無線周波数回路は、これらの機能を実施するように構成されている一般的に知られている回路を含み、限定しないが、アンテナシステム、無線周波数トランシーバ、1つまたは複数の増幅器、チューナ、1つまたは複数の発振器、デジタル信号処理装置、コーデック（Codec）チップセット、加入者識別モジュール（SIM）カード、記憶装置などを含む。加えて、無線周波数回路は、無線通信を使用することによって、ネットワークおよび他の装置と更に通信することができる。無線通信は、任意の通信基準またはプロトコルを含むことができ、限定しないが、GSM（登録商標）（Global System of Mobile communication、移動通信のためのグローバルシステム）、GPRS（General Packet Radio Service、汎用パケット無線サービス）、CDMA（Code Division Multiple Access、符号分割多重アクセス）、WCDMA（登録商標）（Wideband Code Division Multiple Access、高域帯符号分割多重アクセス）、高速アップリンクパケットアクセス（HighSpeedUplinkPacketAccess、HSUPA）技術、LTE （Long Term Evolution、長期進化）、Eメール、SMS（Short Messaging Service、ショートメッセージサービス）などを含むことができる。
【０２１０】
この実施形態の中で提供されるユーザ機器は、前述の方法の実施形態の中で技術的解決策を実施するために使用され得る。その実施原則および技術的効果は同様であり、本明細書では詳細を再び説明しない。
【０２１１】
前述の実施形態の説明によって、本発明がハードウェア、ファームウェア、またはその組合せによって実施され得ることを当業者なら明確に理解することができる。本発明がソフトウェアによって実施される場合、前述の機能が、コンピュータ可読媒体の中に記憶され、または1つまたは複数の指示またはコードとしてコンピュータ可読媒体の中に送信されることが可能である。コンピュータ可読媒体は、コンピュータ記憶媒体および通信媒体を含み、通信媒体は、コンピュータプログラムが1つの場所から他の場所へ送信されることを可能にする任意の媒体を含む。記憶媒体は、コンピュータがアクセスできる任意の利用可能な媒体であることができる。以下に、限定しない実施例を提供する。コンピュータ可読媒体は、RAM、ROM、EEPROM、CD−ROM、または他の光ディスク記憶装置またはディスク記憶媒体、または他の磁気記憶装置、または指示またはデータ構造の形態で予期されるプログラムコードを搬送し、または記憶することができ、コンピュータによってアクセス可能である任意の他の媒体を含むことができる。加えて、任意の接続が、コンピュータ可読媒体として適切に定義され得る。例えば、ソフトウェアが、同軸ケーブル、光ファイバ／ケーブル、ツィステッドペア、デジタル加入者回線（DSL）、または赤外線、無線およびマイクロ波、同軸ケーブル、光ファイバ／ケーブル、ツィステッドペアなどの無線技術を使用することによって、ウェブサイト、サーバ、他の遠隔供給源から送信される場合、DSLまたは赤外線、無線およびマイクロ波などの無線技術が、それらが属する媒体の定義の中に含まれる。例えば、本発明によって使用されるディスク（Disk）およびディスク（disc）は、コンパクトディスクCD、レーザディスク、光ディスク、デジタル多用途ディスク（DVD）、フロッピーディスクおよびブルーレイディスクを含み、ディスク（disk）は、一般的に磁気手段によってデータをコピーし、ディスク（disc）はレーザ手段によってデータを光学的にコピーする。前述の組合せもやはり、コンピュータ可読媒体の保護範囲の中に含まれるべきである。
【０２１２】
最後に、前述の実施形態は単に、本発明の技術的解決策を説明するためのものにすぎず、本発明を限定するためのものではないことに留意すべきである。本発明は前述の実施形態に関連して詳細に説明されているが、当業者は更に、本発明の実施形態の技術的解決策の範囲を逸脱することなく、前述の実施形態に記述されている技術的解決策に改変を加え、あるいは、前述の実施形態の一部または全部の技術的特徴に対する等価の置換を行うことができることを理解するはずである。
【符号の説明】
【０２１３】
70  仮想識別モジュール提供装置
80  ユーザ機器
90  仮想識別モジュール提供装置
100  ユーザ機器
101  人間とコンピュータとの間のインタラクション・インターフェース
102  管理モジュール
103  仮想ユーザ識別モジュール
104  チャージ管理提供モジュール
105  操作支援システム
106  記憶モジュール
107  位置検出モジュール
108  ユーザ機器
109  仮想識別モジュール提供装置
701  第1の受信モジュール
702  第1の決定モジュール
703  第1の送信モジュール
704  第2の受信モジュール
705  第2の決定モジュール
706  第2の送信モジュール
707  第3の送信モジュール
708  第4の送信モジュール
709  第5の送信モジュール
710  記憶モジュール
711  第3の受信モジュール
712  第6の送信モジュール
7021  第1のモジュール決定ユニット
7022  第1の量決定ユニット
7023  情報決定ユニット
7024  第2のモジュール決定ユニット
7025  第2の量決定ユニット
801  決定モジュール
802  第1の送信モジュール
803  第1の受信モジュール
804  第2の送信モジュール
8011  第1の受信ユニット
8012  第1の提示ユニット
8013  第2の受信ユニット
8014  第1の処理ユニット
8015  第3の受信ユニット
8016  第2の提示ユニット
8017  第4の受信ユニット
8018  第2の処理ユニット
8019  第5の受信ユニット
8020  第3の提示ユニット
8021  第6の受信ユニット
8022  第3の処理ユニット
901  受信機
902  処理装置
903  送信機
1001  処理装置
1002  送信機
1003  受信機
1004  出力装置
1005  入力装置
【図１】
0006510516.tif 000005
【図２】
0006510516.tif 000006
【図３】
0006510516.tif 000007
【図４Ａ】
0006510516.tif 000008
【図４Ｂ】
0006510516.tif 000009
【図５Ａ】
0006510516.tif 000010
【図５Ｂ】
0006510516.tif 000011
【図６Ａ】
0006510516.tif 000012
【図６Ｂ】
0006510516.tif 000013
【図７】
0006510516.tif 000014
【図８】
0006510516.tif 000015
【図９】
0006510516.tif 000016
【図１０】
0006510516.tif 000017
【図１１】
0006510516.tif 000018
【図１２】
0006510516.tif 000019
【図１３】
0006510516.tif 000020
【図１４】
0006510516.tif 000021
【図１５】
0006510516.tif 000022
【図１６】
0006510516.tif 000023
【図１７】
0006510516.tif 000024
【図１８】
0006510516.tif 000025